(57)【要約】【課題】  近距離無線通信の送信側となる通信部と受信側となる通信部との間の通信経路を利用者により意図されたタイミングで接続する技術を提供する。【解決手段】  複数のアンテナを一本のアンテナとしてまとめ、アンテナ全体を所定の周波数で共振が最大になるように調整した通信相手のアンテナと無線通信が可能なウェアラブルデバイスは、アンテナとして機能し、所定の周波数で共振が最大になる複数の第１誘導アンテナと、複数の第１誘導アンテナに導体を介して接続される第８のアンテナとを有し、複数の第１誘導アンテナは、一部が互いに重なるように配置され、所定の周波数で共振が最大になるように一本のアンテナとしてまとめられ、複数の第１誘導アンテナを一本のアンテナとしてまとめた全体のアンテナサイズは、通信相手のアンテナの最小単位のアンテナサイズより大きく、通信相手の全体のアンテナサイズより小さい。【選択図】  図１９
2018023108.tif 000002
【特許請求の範囲】
【請求項１】
所定の周波数で共振が最大になる複数のアンテナを、一部が互いに重なるように配置して一本のアンテナとしてまとめ、アンテナ全体を前記所定の周波数で共振が最大になるように調整した通信相手のアンテナと無線通信が可能なウェアラブルデバイスであって、
アンテナとして機能し、前記所定の周波数で共振が最大になる複数の第１誘導アンテナと、
前記複数の第１誘導アンテナに導体を介して接続される第８のアンテナとを備え、
前記複数の第１誘導アンテナは、一部が互いに重なるように配置され、前記所定の周波数で共振が最大になるように一本のアンテナとしてまとめられ、
前記複数の第１誘導アンテナを一本のアンテナとしてまとめた全体のアンテナサイズは、前記通信相手のアンテナの最小単位のアンテナサイズより大きく、前記通信相手の全体のアンテナサイズより小さい
ことを特徴とするウェアラブルデバイス。
【発明の詳細な説明】
【技術分野】
【０００１】
本発明は、ウェアラブルデバイスに関する。
【背景技術】
【０００２】
スマートフォンや携帯電話、タブレット型の端末などの携帯端末は、電子決済機能などのために、近距離無線通信(ＮＦＣ：Near Field Communication)のためのアンテナを含んでいる場合がある。このような携帯端末を用いて電子決済サービスなどの提供を受ける場合に、利用者は、店舗に設置された読み取り装置や駅の自動改札機などに携帯端末をかざす操作を行うことで、携帯端末の内部に記録された識別情報を読み取らせている。
【０００３】
一方、ＲＦＩＤ(Radio Frequency IDentification)タグの読み取り装置と手袋などに設けられたアンテナとを接続し、ＲＦＩＤタグを付けられた物品を利用者が手に取った際に、物品の情報を読み取る技術が提案されている(例えば、特許文献１参照)。
【先行技術文献】
【特許文献】
【０００４】
【特許文献１】特開２０１３−５７１４５号公報
【発明の概要】
【発明が解決しようとする課題】
【０００５】
しかしながら、上述の従来技術は、手袋に設けられたアンテナで読み取りが可能な範囲に電子タグが設置されていれば、利用者の意図にかかわらず電子タグの読み取りを行うため、意図しない読み取りを行ってしまう場合がある。
【０００６】
本件開示のウェアラブルデバイスは、近距離無線通信の送信側となる通信部と受信側となる通信部との間の通信経路を利用者により意図されたタイミングで接続する技術を提供することを目的とする。
【課題を解決するための手段】
【０００７】
一つの観点によれば、所定の周波数で共振が最大になる複数のアンテナを、一部が互いに重なるように配置して一本のアンテナとしてまとめ、アンテナ全体を所定の周波数で共振が最大になるように調整した通信相手のアンテナと無線通信が可能なウェアラブルデバイスは、アンテナとして機能し、所定の周波数で共振が最大になる複数の第１誘導アンテナと、複数の第１誘導アンテナに導体を介して接続される第８のアンテナとを有し、複数の第１誘導アンテナは、一部が互いに重なるように配置され、所定の周波数で共振が最大になるように一本のアンテナとしてまとめられ、複数の第１誘導アンテナを一本のアンテナとしてまとめた全体のアンテナサイズは、通信相手のアンテナの最小単位のアンテナサイズより大きく、通信相手の全体のアンテナサイズより小さい。
【発明の効果】
【０００８】
本件開示のウェアラブルデバイスは、近距離無線通信の送信側となる通信部と受信側となる通信部との間の通信経路を利用者により意図されたタイミングで接続することができる。
【図面の簡単な説明】
【０００９】
【図１】ウェアラブルデバイスの一実施形態を示す図である。
【図２】図１に示したウェアラブルデバイスに含まれるアンテナの別実施形態を示す図である。
【図３】図１に示したウェアラブルデバイスに含まれるアンテナの別実施形態を示す図である。
【図４】ウェアラブルデバイスの別実施形態を示す図である。
【図５】図４に示したウェアラブルデバイスの動作を示す図である。
【図６】ウェアラブルデバイスの別実施形態を示す図である。
【図７】ウェアラブルデバイスの別実施形態を示す図である。
【図８】図７に示したウェアラブルデバイスの動作を示す図である。
【図９】図６に示したウェアラブルデバイスのハードウェア構成例を示す図である。
【図１０】図９に示したウェアラブルデバイスの動作を示す図である。
【図１１】図１０に示した器具の装着状態を検査する処理の例を示す図である。
【図１２】図１０に示した器具の収納状態を検査する処理の例を示す図である。
【図１３】ウェアラブルデバイスの別実施形態を示す図である。
【図１４】ウェアラブルデバイスの別実施形態を示す図である。
【図１５】ウェアラブルデバイスの別実施形態を示す図である。
【図１６】ウェアラブルデバイスの別実施形態を示す図である。
【図１７】ウェアラブルデバイスの別実施形態を示す図である。
【図１８】ウェアラブルデバイスの別実施形態を示す図である。
【図１９】ウェアラブルデバイスの別実施形態を示す図である。
【図２０】靴に設置される誘導アンテナの調整方法の例を示す図である。
【図２１】床に設置される誘導アンテナの調整方法の例を示す図である。
【発明を実施するための形態】
【００１０】
以下、図面に基づいて、実施形態を説明する。
【００１１】
図１は、ウェアラブルデバイスの一実施形態を示す。図１は、人物Ｐ１が作業着Ｗｒを着用することで、ウェアラブルデバイス１０を装着する例である。
【００１２】
ウェアラブルデバイス１０は、所定の長さを有し折り曲げ可能な導体１１１と、アンテナ１１２、１１３と、手袋ＧＬと、作業着Ｗｒに設けられたポケットＰｋとを含んでいる。アンテナ１１２は、導体１１１の一端Ｔ１に接続され、一端Ｔ１における電波の誘導を行う第１誘導部の一例である。また、アンテナ１１３は、導体１１１の他端Ｔ２に接続され、他端Ｔ２における電波の誘導を行う第２誘導部の一例である。以下の説明において、導体１１１とアンテナ１１２とアンテナ１１３とを含む要素は、拡張アンテナ１１と称される。
【００１３】
手袋ＧＬは、例えば、人物Ｐ１の手にアンテナ１１２を装着させる装着具の一例である。図１は、手袋ＧＬにより、アンテナ１１２を人物Ｐ１の右手に装着させた例を示す。アンテナ１１２が装着された人物Ｐ１の手は、人物Ｐ１の外部の環境に設置された装置ＥＱに搭載された近距離無線通信用の通信部Ｃ１にアクセス可能な身体の部位の一例である。
【００１４】
なお、アンテナ１１２を装着させる部位は、図１に示した手袋ＧＬが装着された右手に限らず、人物Ｐ１の左手や、左または右の下膊部などでもよい。また、装置ＥＱに搭載された通信部Ｃ１は、人物Ｐ１の外部に配置され、近距離無線通信を行う機能を有する第１通信部の一例である。通信部Ｃ１は、例えば、近距離無線通信用あるいはＲＦＩＤ用の電子タグでもよいし、また、近距離無線通信用あるいはＲＦＩＤ用の電子タグから情報を読み取るための読み取り部でもよい。
【００１５】
ポケットＰｋは、スマートフォンなどの携帯端末ＵＥを収納可能な容量を持ち、また、携帯端末ＵＥに含まれる近距離無線通信用の通信部Ｃ２に対向してアンテナ１１３を固定するホルダ１３１を含んでいる。携帯端末ＵＥに含まれる通信部Ｃ２は、近距離無線通信を行う機能を有し、人物Ｐ１によって携帯される第２通信部の一例である。通信部Ｃ２は、近距離無線通信用の電子タグの情報を読み取るための読み取り部でもよいし、近距離無線通信用あるいはＲＦＩＤ用の電子タグでもよい。また、携帯端末ＵＥは、作業着ＷｒのポケットＰｋなどに収納可能な大きさであれば、近距離無線通信用の読み取り部を有するタブレット型の端末装置やＲＦＩＤ用の電子タグを読み取るための読み取り装置でもよい。
【００１６】
アンテナ１１２は、例えば、２つに分岐した枝部ＣＬ１ａ、ＣＬ１ｂを有する。また、２つの枝部ＣＬ１ａ、ＣＬ１ｂは、互いの距離を変更可能に配置されており、各枝部ＣＬ１ａ、ＣＬ１ｂの先端には、例えば、リング状のコイルが設けられている。
【００１７】
例えば、枝部ＣＬ１ａは、手袋ＧＬの親指部分に沿って設けられ、枝部ＣＬ１ａのコイルは、手袋ＧＬが装着された手の親指に填められ、親指の関節の周囲に位置する。また、枝部ＣＬ１ｂは、例えば、手袋ＧＬの人差し指部分に沿って設けられ、枝部ＣＬ１ｂのコイルは、手袋ＧＬが装着された手の人差し指に填められ、人差し指の先端から２番目の関節の周囲に位置する。図１に示すように、２つの枝部ＣＬ１ａ、ＣＬ１ｂは、枝部ＣＬ１ａのコイルで生成される磁界と枝部ＣＬ１ｂのコイルで生成される磁界とが同じ向きＤ１となる向きで人物Ｐ１に装着されることが望ましい。向きＤ１に磁界を生成する枝部ＣＬ１ａ、ＣＬ１ｂを有するアンテナ１１２は、枝部ＣＬ１ａ、ＣＬ１ｂのコイル間の距離が所定の閾値Ｄｔを超える場合に、枝部ＣＬ１ａ、ＣＬ１ｂのそれぞれの電磁気的な特性である第１特性で電波を誘導する。また、図１に示したアンテナ１１２は、２つの枝部ＣＬ１ａ、ＣＬ１ｂのコイル間の距離が所定の閾値Ｄｔ以下である場合に、枝部ＣＬ１ａ、ＣＬ１ｂによる作用を足し合わせた特性である第２特性で電波を誘導する。
【００１８】
枝部ＣＬ１ａ、ＣＬ１ｂのコイルによる作用が足し合わせられる限界の距離を示す閾値Ｄｔは、例えば、人物Ｐ１が意識的に親指と人差し指の指先を対向させながら互いを近づけた場合における枝部ＣＬ１ａ、ＣＬ１ｂ間の距離と同程度の値に設定される。なお、人物Ｐ１が無意識的な動作を行っている場合に、親指の関節は、人差し指の付け根付近に配置される場合が多い。このため、人物Ｐ１が無意識的な動作を行っている場合に、親指に填められた枝部ＣＬ１ａのコイルと、人差し指の先端から２番目の関節に填められた枝部ＣＬ１ｂのコイル間の距離が、閾値Ｄｔ以下となることはほとんどない。
【００１９】
ここで、枝部ＣＬ１ａ、ＣＬ１ｂのそれぞれによる電波を誘導する作用の強さは、２つの枝部ＣＬ１ａ、ＣＬ１ｂによる作用を足し合わせた場合に、距離Ｌ１だけ離れた位置にある電子タグの読み取りが可能となる強さに調整される。例えば、枝部ＣＬ１ａ、ＣＬ１ｂのそれぞれによる電波を誘導する作用の強さを示す単独の特性値は、距離Ｌ１だけ離れた位置にある電子タグの読み取りが可能となる作用の強さを示す特性値よりも小さい値に設定される。そして、２つの枝部ＣＬ１ａ、ＣＬ１ｂによる作用が足し合わせられる場合の作用の強さを示す協働の特性値は、距離Ｌ１だけ離れた位置にある電子タグの読み取りが可能となる作用の強さを示す特性値よりも大きな値に設定される。なお、距離Ｌ１は、人物Ｐ１が装置ＥＱに含まれる個々の部品を一つずつ確認する作業を行う場合などに、作業の対象となる部品と作業のために近づけられた人物Ｐ１の手との距離に基づいて設定される。
【００２０】
すなわち、図１に示したアンテナ１１２は、人物Ｐ１の操作により、２つの枝部ＣＬ１ａ、ＣＬ１ｂ間の距離が変えられることで、個別の特性値で示される第１特性と、協働の特性値で示される第２特性とのいずれか一方で、一端Ｔ１において電波を誘導する。
【００２１】
例えば、人物Ｐ１により、意識的に親指と人差し指の指先を対向させる操作が行われ、枝部ＣＬ１ａ、ＣＬ１ｂの距離が閾値Ｄｔ以下となった場合に、アンテナ１１２は、協働の特性値で示される第２特性を持つアンテナとして機能する。一方、親指と人差し指の指先を対向させる操作が行われていない場合に、枝部ＣＬ１ａ、ＣＬ１ｂの距離は閾値Ｄｔ以上となるため、アンテナ１１２は、個別の特性値で示される第１特性を持つアンテナとして機能する。
【００２２】
意識的に親指と人差し指の指先を対向させることで枝部ＣＬ１ａ、ＣＬ１ｂの距離を短縮させる操作は、アンテナ１１２が装着された人物Ｐ１の部位を変形させることで、アンテナ１１２に第２特性を示させる操作の一例である。以下の説明において、アンテナ１１２が装着された人物Ｐ１の部位を変形させることで、アンテナ１１２に第２特性を示させるために人物Ｐ１によってなされる操作は、意識的操作と称される場合がある。意識的操作は、親指と人差し指の指先を対向させる操作に限らず、人物Ｐ１により、無意識に行われる可能性が低い操作であればよい。
【００２３】
なお、枝部ＣＬ１ａ、ＣＬ１ｂを装着する指の組み合わせは、親指と人差し指の組み合わせに限らず、人物Ｐ１により無意識的な操作が行われている間に閾値Ｄｔ以下の距離まで近接する可能性が低い指同士の組み合わせであれば、他の組み合わせでもよい。例えば、手袋ＧＬの親指部分と中指部分、親指部分と薬指部分、または親指部分と小指部分に、枝部ＣＬ１ａ、ＣＬ１ｂを設けてもよい。また、アンテナ１１２の形状は、図１に示したリング状に限らず、人物Ｐ１による意識的操作により、電波の誘導に用いる特性を切り替え可能な機構を含んでいればよく、例えば、ブレスレット形やリストバンド形でもよい。
【００２４】
また、図１に示した導体１１１の一端Ｔ１は、例えば、作業着Ｗｒの袖口においてアンテナ１１２に接続され、導体１１１の他端Ｔ２は、携帯端末ＵＥを収納しているポケットＰｋの内部においてアンテナ１１３に接続されている。また、導体１１１は、例えば、作業着Ｗｒの生地の表面または裏面に縫いこまれており、作業着Ｗｒを着用した人物Ｐ１は、腕を伸ばすなどの動作を行うことで、導体１１１の一端Ｔ１およびアンテナ１１２を自在に移動させることができる。そして、人物Ｐ１は、腕を伸ばして導体１１１の一端Ｔ１およびアンテナ１１２を移動させることで、装置ＥＱに含まれる通信部Ｃ１から距離Ｌ１以内の箇所にアンテナ１１２を近づけることができる。
【００２５】
アンテナ１１２と通信部Ｃ１との距離が距離Ｌ１以下となった状態で、人物Ｐ１により、アンテナ１１２に対する意識的操作が行われた場合に、アンテナ１１２の特性が第２特性に変化する。このとき、アンテナ１１２に含まれる枝部ＣＬ１ａ、ＣＬ１ｂによって生成される磁界により、通信部Ｃ１に含まれるアンテナに誘導による電力が供給されることで、アンテナ１１２と通信部Ｃ１との間の無線経路１４が接続される。一方、アンテナ１１２と通信部Ｃ１との距離が距離Ｌ１以下となった場合でも、人物Ｐ１により、アンテナ１１２に対する意識的操作が行われていない場合には、通信部Ｃ１とアンテナ１１２との間の無線経路１４は接続されない。なぜなら、意識的操作が行われていない状態において、アンテナ１１２に含まれる枝部ＣＬ１ａ、ＣＬ１ｂのそれぞれによって生成される磁界は、通信部Ｃ１に含まれるアンテナに誘導による電力を供給できる程の強さを持たないためである。
【００２６】
つまり、アンテナ１１２を有する拡張アンテナ１１を含むウェアラブルデバイス１０によれば、人物Ｐ１の意識的な操作を契機として、アンテナ１１２と通信部Ｃ１との間の無線経路１４を接続し、通信部Ｃ１、Ｃ２間の通信を可能にすることができる。例えば、図１に示した場合のように、通信部Ｃ１が電子タグであり、通信部Ｃ２が携帯端末ＵＥに含まれる場合に、通信部Ｃ１、Ｃ２間の通信は、通信部Ｃ２からの電力供給によって実現される。逆に、通信部Ｃ１が電子タグから情報を読み出す機能を持つ読み取り装置に含まれており、通信部Ｃ２が定期券など含まれた電子タグである場合に、通信部Ｃ１、Ｃ２間の通信は、通信部Ｃ１からの電力供給によって実現される。
【００２７】
図１に示したウェアラブルデバイス１０に含まれる無線経路１４は、人物Ｐ１の意識的操作が継続している期間にわたって接続され、意識的操作の解除に伴って切断される。したがって、図１に示したウェアラブルデバイス１０は、人物Ｐ１が意図したタイミングで、通信部Ｃ１と通信部Ｃ２との間での通信を実行させ、人物Ｐ１が意図しないタイミングでは、通信部Ｃ１と通信部Ｃ２との通信を停止させておくことができる。
【００２８】
すなわち、図１に示したウェアラブルデバイス１０は、通信部Ｃ１、Ｃ２のどちらが送信側となる場合でも、近距離無線通信の送信側となる通信部と受信側となる通信部との間の通信経路を利用者により意図されたタイミングで接続することができる。
【００２９】
図２は、図１に示したウェアラブルデバイス１０に含まれるアンテナ１１２の別実施形態を示す。なお、図２に示した構成要素のうち、図１に示した構成要素と同等のものについては、同一の符号を付して示し、その説明は省略する。
【００３０】
図２(Ａ−１)、(Ａ−２)は、図１に示したアンテナ１１２に含まれる２つの枝部ＣＬ１ａ、ＣＬ１ｂの別の装着例を示す。
【００３１】
図２(Ａ−１)、(Ａ−２)に示した枝部ＣＬ１ａ、ＣＬ１ｂのそれぞれのコイルは、例えば、２本の指輪のそれぞれに内蔵されている。また、図２(Ａ−１)、(Ａ−２)の例では、枝部ＣＬ１ａ、ＣＬ１ｂのそれぞれのコイルを内蔵する指輪は、図１に示した人物Ｐ１の右手ｈｒの人差し指と薬指とにはめられている。また、枝部ＣＬ１ａ、ＣＬ１ｂのそれぞれは、配線部Ｃｃと作業着Ｗｒの袖口に設けられたコネクタＣｎとを介して所定の長さを有する導体１１１の一端Ｔ１に接続されている。なお、配線部Ｃｃは、コネクタＣｎと枝部ＣＬ１ａ、ＣＬ１ｂのそれぞれとを接続する導線と、枝部ＣＬ１ａ、ＣＬ１ｂを互いに接続する導線とを含んでいる。
【００３２】
図２(Ａ−１)は、人物Ｐ１の右手ｈｒの各指が自然に伸ばされている状態を示している。この場合に、アンテナ１１２に含まれる枝部ＣＬ１ａ、ＣＬ１ｂは、少なくとも中指の太さで示される距離よりも離れている。したがって、中指の太さ程度に閾値Ｄｔを設定することで、図２(Ａ−１)に示した枝部ＣＬ１ａ、ＣＬ１ｂの相対位置で示される形状において、アンテナ１１２は、枝部ＣＬ１ａ、ＣＬ１ｂの個別の特性値で示される第１特性を示す。
【００３３】
図２(Ａ−２)は、人物Ｐ１により、右手ｈｒの人差し指を中指に交差する操作が意識的操作として行われた状態を示している。この場合に、アンテナ１１２に含まれる枝部ＣＬ１ａ、ＣＬ１ｂは、人物Ｐ１により意識的操作が行われたことで、図２(Ａ−１)に示した状態よりも近づけられ、枝部ＣＬ１ａ、ＣＬ１ｂ間の距離は閾値Ｄｔ以下となっている。これにより、図２(Ａ−２)に示した状態では、枝部ＣＬ１ａ、ＣＬ１ｂのそれぞれの作用が足しあわされることで、アンテナ１１２は、破線で示した領域φａにおいて、第２特性を示す。
【００３４】
すなわち、図２(Ａ−１)、(Ａ−２)に示したアンテナ１１２は、例えば、腕を動かすことで枝部ＣＬ１ａ、ＣＬ１ｂのそれぞれの作用が足しあわされる領域φａを電子タグに近づけ、電子タグの情報をピンポイントで読み取る用途などにおいて有用である。
【００３５】
また、図２(Ｂ−１)、(Ｂ−２)は、図１に示したウェアラブルデバイス１０に含まれるアンテナ１１２の別例を示す。
【００３６】
図２(Ｂ−１)、(Ｂ−２)に示したアンテナ１１２は、例えば、作業着Ｗｒと手袋ＧＬとの接続部に設けられたコネクタＣｎを介して、所定の長さを有する導体１１１の一端Ｔ１に接続されたループ状のアンテナである。アンテナ１１２は、例えば、手袋ＧＬの内部に、手の輪郭に沿って縫い込まれている。
【００３７】
図２(Ｂ−１)は、人物Ｐ１の右手ｈｒの各指が自然に広げられている状態におけるアンテナ１１２の形状を示す。図２(Ｂ−１)に示した形状である場合に、アンテナ１１２は、破線で示した領域φｂにおいて、ループアンテナのうち、掌の手首側を囲む導線で誘導される磁界により、電波を誘導する機能を示す。
【００３８】
図２(Ｂ−２)は、人物Ｐ１により、右手ｈｒの各指を閉じる操作が意識的操作として行われた状態におけるアンテナ１１２の形状を示す。図２(Ｂ−２)に示した形状に変形されたアンテナ１１２は、閉じられた指の部分の導線で誘導される磁界が互いに強めあうことで、図２(Ｂ−１)に示した領域φｂよりも広い領域φｂ’において、電波を誘導する機能を示す。
【００３９】
図２(Ｂ−２)に示した領域φｂ’において、アンテナ１１２が示す電波を誘導する作用の強さは、領域φｂ’に含まれる電子タグの読み取りが可能な程度に調整される。この場合に、図２(Ｂ−１)、(Ｂ−２)に示したアンテナ１１２は、人物Ｐ１による意識的操作によって変形された場合に、例えば、人物Ｐ１の右手ｈｒの面積とほぼ同等の面積を有する領域φｂ’に含まれる電子タグなどの読み取りに用いることが可能である。
【００４０】
すなわち、図２(Ｂ−１)、(Ｂ−２)に示したアンテナ１１２は、例えば、手の厚み程度の狭い隙間に手を差し込み、隙間のどこかに設置された電子タグなどを読み取る用途などにおいて有用である。
【００４１】
また、図２(Ｂ−１)に示した形状を維持しているアンテナ１１２が領域φｂにおいて示す電波を誘導する作用の強さは、例えば、アンテナ１１２を装着した手を電子タグにかざした場合に領域φｂに含まれる電子タグに誘導による給電が可能な程度に調整される。このような調整を行った場合に、図２(Ｂ−１)、(Ｂ−２)に示したアンテナ１１２は、意識的操作に応じて電子タグを読み取ることが可能な範囲を切り替え可能とすることができる。
【００４２】
なお、アンテナ１１２は、手に含まれる指などに対応する輪郭の一部を省略した形状で、手袋ＧＬに縫いこまれていてもよい。例えば、アンテナ１１２の形状は、親指部分の輪郭を省略した形状でもよいし、また、掌を囲む部分が省略された指先部分の輪郭を示す形状でもよい。
【００４３】
図３は、図１に示したウェアラブルデバイス１０に含まれるアンテナ１１２の別実施形態を示す。なお、図３に示した構成要素のうち、図１に示した構成要素と同等のものについては、同一の符号を付して示し、その説明は省略する。
【００４４】
例えば、図３に示したアンテナ１１２は、人物Ｐ１の手首などに固定されるアンテナＡｆと、導電性を有する棒状の器具Ｇｊと、器具Ｇｊに設置されたアンテナＡｒ１、Ａｒ２とを含んでいる。
【００４５】
器具Ｇｊは、人物Ｐ１によって掴まれることで、人物Ｐ１の身体に接続され、逆に、人物Ｐ１が器具Ｇｊを離すことで人物Ｐ１への接続が解除される。アンテナＡｒ１は、例えば、人物Ｐ１が器具Ｇｊを掴む位置を指定するために器具Ｇｊの一端に設けられたグリップＧｒなどに隣接して設置される。また、アンテナＡｒ１の位置は、人物Ｐ１がグリップＧｒの位置で器具Ｇｊを掴んだ場合に、アンテナＡｆからの距離が所定値Ｌ２以下となる位置に設定される。また、アンテナＡｒ２は、器具Ｇｊにおいて、アンテナＡｒ１が設置された箇所から離れた他端Ｅｇ１に設置され、器具Ｇｊの他端Ｅｇ１において、第２特性を用いて電波を誘導する。
【００４６】
アンテナＡｆ及びアンテナＡｒ１のそれぞれによる電波を誘導する作用の強さは、アンテナＡｆとアンテナＡｒ１との距離が所定値Ｌ２となった場合に、両者の間に無線経路が接続される強さに調整されることが望ましい。また、器具Ｇｊは、長さを伸縮させる機構を含んでいてもよい。
【００４７】
図３に示したアンテナ１１２は、作業着Ｗｒに縫いこまれた導体１１１により人物Ｐ１の手首まで延長された拡張アンテナ１１を、器具Ｇｊを装着することにより、器具Ｇｊの長さＬｇだけ離れた器具Ｇｊの他端Ｅｇ１まで更に延長することができる。
【００４８】
したがって、図３に示したアンテナ１１２を有するウェアラブルデバイス１０は、通信部Ｃ１が天井など高い場所に設置されている場合にも、器具Ｇｊの他端Ｅｇ１を通信部Ｃ１から距離Ｌ１以内の箇所に近づけることで無線経路１４を接続可能である。
【００４９】
例えば、通信部Ｃ１がスプリンクラーや火災報知器などに含まれる電子タグである場合に、電子タグとアンテナＡｒ２との間の無線経路１４は、器具Ｇｊの他端Ｅｇ１に設置されたアンテナＡｒ２をスプリンクラーや火災報知器に近づけることで接続される。これにより、携帯端末ＵＥ内部の通信部Ｃ２は、電子タグの情報を読み取ることが可能となる。また、電子タグの読み取りで得られた情報は、例えば、スプリンクラーや火災報知器が点検されたことを示す履歴やスプリンクラーや火災報知器の状態を示す情報として、携帯端末ＵＥ内部のメモリ等に蓄積されてもよい。
【００５０】
すなわち、図３に示したアンテナ１１２を有するウェアラブルデバイス１０は、建物の天井あるいは天井付近の壁面に設置される場合が多い機器の点検などの分野において有用である。
【００５１】
次に、図１に示したウェアラブルデバイス１０を用いて、人物Ｐ１が実行する様々な作業を支援する方法について説明する。
【００５２】
図４は、ウェアラブルデバイスの別実施形態を示す。なお、図４に示した構成要素のうち、図１に示した構成要素と同等のものについては、同一の符号を付して示し、その説明は省略する。
【００５３】
図４に示したウェアラブルデバイス１０は、図１に示した導体１１１とアンテナ１１２、１１３とを含む拡張アンテナ１１に加えて、携帯端末ＵＥに搭載されたプロセッサなどの制御部１５及びメモリＭＥＭと、提示部１６とを含んでいる。
【００５４】
また、図４に示した携帯端末ＵＥは、近距離無線通信により、電子タグを読み取る機能を有する読み取り部Ｃ４を含んでいる。読み取り部Ｃ４は、近距離無線通信を行う機能を有し、人物Ｐ１に携帯される第２通信部の一例であり、図１に示した通信部Ｃ２に相当する。
【００５５】
図４に示した装置ＥＱは、装置ＥＱに含まれる部品の一例であるスイッチＳＷと、スイッチＳＷに対応付けられた電子タグＴａｇ０を含んでいる。電子タグＴａｇ０は、人物の外部の装置ＥＱに搭載された、近距離無線通信を行う機能を有する第１通信部の一例であり、図１に示した通信部Ｃ１に相当する。また、電子タグＴａｇ０は、内蔵するメモリに、スイッチＳＷに対応付けられたタグ情報を保持している。
【００５６】
図４に示したアンテナ１１２と電子タグＴａｇ０との間の無線経路１４は、例えば、図１、図２を用いて説明したように、アンテナ１１２を第２特性に対応する形状に変形させる意識的操作が人物Ｐ１によってなされた際に接続される。
【００５７】
そして、図４の例では、アンテナ１１２と電子タグＴａｇ０との間に接続された無線経路１４と、導体１１１と、アンテナ１１３と通信部Ｃ２との間の無線経路とを含む通信経路は、読み取り部Ｃ４による電子タグＴａｇ０の読み取りに用いられる。すなわち、図４に示したウェアラブルデバイス１０は、人物Ｐ１により、アンテナ１１２に対して意識的操作が行われるタイミングで、人物Ｐ１によって携帯される読み取り部Ｃ４による読み取りが可能な範囲を拡張する機能を果たす。
【００５８】
また、携帯端末ＵＥの制御部１５は、例えば、通信部Ｃ４から受けたタグ情報に含まれる識別情報に基づいてメモリＭＥＭを参照することで、メモリＭＥＭに蓄積された情報を取得する。また、制御部１５は、取得した情報からスイッチＳＷに対する点検手順などを示すテキストや画像情報を生成してもよい。
【００５９】
図４に示した提示部１６は、例えば、眼鏡型のヘッドマウントディスプレイ(ＨＭＤ：Head Mounted Display)などであり、制御部１５から受けた情報を示す画像などを表示部に表示させることで人物Ｐ１に提示する。
【００６０】
図５は、図４に示したウェアラブルデバイス１０の動作を示す。図５に示したステップＳ３０１〜ステップＳ３０３の処理は、図４に示したウェアラブルデバイス１０の動作を示すとともに、図４に示したウェアラブルデバイス１０を用いたインタフェース制御方法およびインタフェース制御プログラムの例を示す。例えば、図５に示す処理は、ウェアラブルデバイス１０に接続された携帯端末ＵＥに搭載されたプロセッサがインタフェース制御プログラムを実行することで実現される。なお、図５に示す処理は、ウェアラブルデバイス１０に搭載されるハードウェアによって実行されてもよい。すなわち、図５は、インタフェース制御方法及びインタフェース制御プログラムの一実施形態を示す。
【００６１】
ステップＳ３０１において、図４に示した制御部１５は、例えば、通信部Ｃ２の状態に基づいて、アンテナ１１２と電子タグＴａｇ０との間の無線経路が接続されたか否かを判定する。
【００６２】
図４に示したアンテナ１１２が第２特性を示す形状に変形させられていない場合や、人物Ｐ１の右手ｈｒと電子タグＴａｇ０との距離が図１で説明した距離Ｌ１以上離れている場合に、アンテナ１１２と電子タグＴａｇ０との間の無線経路１４は未接続となる。この場合に、制御部１５は、ステップＳ３０１の否定判定ルート(ＮＯ)に進み、ステップＳ３０１の処理を繰り返すことで、無線経路１４の接続を待ち受ける。
【００６３】
一方、アンテナ１１２が第２特性を示す形状に変形させられた状態で、例えば、人物Ｐ１が装置ＥＱに設置された電子タグＴａｇ０から距離Ｌ１以内の箇所にアンテナ１１２が装着された手を近づけた場合に、図４に示した無線経路１４が接続される。この場合に、処理は、ステップＳ３０１の肯定判定ルート(ＹＥＳ)に従って、ステップＳ３０２に進む。
【００６４】
ステップＳ３０２において、制御部１５は、通信部Ｃ４を介して、電子タグＴａｇ０から、電子タグＴａｇ０の内部に保持されたタグ情報を受信する。また、制御部１５は、受信したタグ情報を解析することで、例えば、タグ情報に含まれる識別情報を取得する。
【００６５】
ステップＳ３０３において、制御部１５は、ステップＳ３０２の処理で取得した識別情報に対応してメモリＭＥＭに格納された情報を読み出し、読み出した情報を提示部１６に送ることで、提示部１６に人物Ｐ１に対して情報を提示させる。制御部１５は、メモリＭＥＭに格納された情報に基づいて、電子タグＴａｇ０に対応付けられたスイッチＳＷなどの部品に対する作業手順などを示す情報を生成し、生成した情報を提示部１６に提示させてもよい。また、提示部１６は、制御部１５から受けた情報に基づいて、作業手順などを示す図形やテキストなどの情報を表示部に表示させることで、人物Ｐ１への情報の提示を行う。
【００６６】
図１、図２を用いて説明したように、図４に示した無線経路１４は、人物Ｐ１により、アンテナ１１２に対して所定の意識的操作が行われたことで、アンテナ１１２の特性が第２特性に変化した場合に接続される。すなわち、図４に示した電子タグＴａｇ０と携帯端末ＵＥに内蔵された通信部Ｃ４との間の通信経路は、人物Ｐ１によってなされる意識的操作を契機として接続される。
【００６７】
したがって、図４に示した制御部１５は、アンテナ１１２が装着された部位である人物Ｐ１の手が装置ＥＱの近傍にある場合でも、人物Ｐ１により意識的操作がなされない限り、装置ＥＱの内部に設置された電子タグＴａｇ０のタグ情報を受信することはない。つまり、人物Ｐ１の無意識の動作により、アンテナ１１２が意図しない電子タグＴａｇ０に近づいた場合などに、提示部１６の表示部に不用意に情報を提示させてしまうことはない。
【００６８】
すなわち、図４に示した拡張アンテナ１１及び提示部１６を有するウェアラブルデバイス１０は、アンテナ１１２を意図的に変形させる操作によって起動され、外部の装置ＥＱと人物Ｐ１との情報の授受を媒介するユーザインタフェースを実現することができる。
【００６９】
図４に示したウェアラブルデバイス１０によって実現されるユーザインタフェースによれば、人物Ｐ１は、装置ＥＱに対する作業中の所望のタイミングにおいて、作業の対象となる部品に手を近づけることで、意図した部品の情報の提示を受けることができる。
【００７０】
なお、装置ＥＱは、搭載された複数の部品のそれぞれに対応して、各部品に対応付けられたタグ情報を含む電子タグを含んでもよい。この場合に、図４に示したウェアラブルデバイス１０を着用した人物Ｐ１は、電子タグのそれぞれにアンテナ１１２を近づけた上で、アンテナ１１２に対して意識的操作を行うことで、通信部Ｃ４に個々の電子タグを読み取らせることができる。また、図４に示したウェアラブルデバイス１０の提示部１６は、人物Ｐ１により、アンテナ１１２が各部品に近づけられたタイミングで、通信部Ｃ４で読み取られたタグ情報に基づいて、人物Ｐ１にタイミングよく作業手順などの情報を提示することができる。
【００７１】
すなわち、図４に示したウェアラブルデバイス１０によれば、様々な装置ＥＱの保守点検作業などにあたる作業者とって使いやすいユーザインタフェースを提供することが可能である。
【００７２】
また、図４に示したウェアラブルデバイス１０は、スマートフォンやタブレット型の端末などの携帯端末ＵＥに搭載された近距離無線通信用の通信部Ｃ４の機能により、電子タグＴａｇ０のタグ情報を受信する機能を実現している。したがって、人物Ｐ１は、普段から使い慣れているスマートフォンやタブレット端末などを、作業着Ｗｒのポケットに収納することで、ウェアラブルデバイス１０を用いたユーザインタフェースの機能を享受することができる。
【００７３】
図６は、ウェアラブルデバイス１０の別実施形態を示す。なお、図６に示した構成要素のうち、図１及び図３に示した構成要素と同等のものについては、同一の符号を付して示し、その説明は省略する。
【００７４】
図６に示したウェアラブルデバイス１０は、図１に示した導体１１１とアンテナ１１２、１１３とを含む拡張アンテナ１１に加えて、読み取り部１７と、判別部１８とを含んでいる。
【００７５】
また、図６に示した作業着Ｗｒは、図３に示した器具Ｇｊを収納するための固定部Ｈｌｄを有している。固定部Ｈｌｄは、例えば、作業着Ｗｒの一方の袖などに縫い付けられた筒状の部材であり、器具Ｇｊに設けられたフックＨｋを掛けることで、器具Ｇｊを保持する。
【００７６】
また、図６に示した器具Ｇｊは、個別に読み取りが可能な第１のタグＴｇ１と第２のタグＴｇ２を含んでいる。第１のタグＴｇ１および第２のタグＴｇ２は、例えば、器具ＧｊのフックＨｋから離れた端部に、第１のタグＴｇ１および第２のタグＴｇ２のそれぞれが単独の電子タグとして読み取られることが可能な間隔で設置されることが望ましい。図６の例は、第２のタグＴｇ２を第１のタグＴｇ１よりも、器具ＧｊのフックＨｋから離れた端部の先端に近い位置に設置した場合を示す。
【００７７】
図６に示した読み取り部１７は、固定部Ｈｌｄに対向する位置に固定されたアンテナＡｔ１と、携帯端末ＵＥに含まれる通信部Ｃ２に対向する位置に固定されたアンテナＡｔ２と、アンテナＡｔ１とアンテナＡｔ２とを接続するケーブルＣＢＬとを含んでいる。アンテナＡｔ１を固定する位置は、器具Ｇｊが固定部Ｈｌｄに挿入される際に、第１のタグＴｇ１及び第２のタグＴｇ２が通る箇所からの距離が、アンテナＡｔ１によって電子タグを読み取ることが可能な距離を示す所定の閾値よりも短くなる位置とすることが望ましい。アンテナＡｔ１を固定する位置は、例えば、固定部Ｈｌｄの一方の端部が作業着Ｗｒに縫い付けられた箇所の裏側などでもよい。この場合に、読み取り部１７に含まれるアンテナＡｔ１と第１のタグＴｇ１及び第２のタグＴｇ２とが最も近づいた際の距離は作業着Ｗｒの厚み程度となる。したがって、読み取り部１７は、器具Ｇｊを固定部Ｈｌｄに挿入する過程で、第１のタグＴｇ１及び第２のタグＴｇ２のそれぞれを漏れなく読み取ることが可能となる。
【００７８】
読み取り部１７のアンテナＡｔ１は、例えば、器具Ｇｊに設置された第１のタグＴｇ１及び第２のタグＴｇ２のそれぞれが固定部Ｈｌｄの内側を通る際に、第１のタグＴｇ１及び第２のタグＴｇ２のそれぞれに設定されたタグ情報を受信する。ケーブルＣＢＬ及びアンテナＡｔ２は、アンテナＡｔ１によって受信されたタグ情報を、携帯端末ＵＥに搭載された通信部Ｃ２に伝達する。すなわち、読み取り部１７は、器具Ｇｊが固定部Ｈｌｄに固定される際に、器具Ｇｊに設置された第１のタグＴｇ１及び第２のタグＴｇ２のそれぞれを読み取り、読み取りで得られたタグ情報を、通信部Ｃ２に伝達する。
【００７９】
また、図６に示した判別部１８は、携帯端末ＵＥに搭載されたプロセッサなどの制御部であり、読み取り部１７により、第１のタグＴｇ１及び第２のタグＴｇ２のそれぞれを読み取ることで得られたタグ情報のそれぞれを、通信部Ｃ２を介して受け取る。また、判別部１８は、読み取り部１７によって第１のタグＴｇ１及び第２のタグＴｇ２が読み取られた順序に基づいて、器具Ｇｊと固定部Ｈｌｄとの位置関係を判別する。例えば、判別部１８は、読み取り部１７から受けたタグ情報により、第２のタグＴｇ２に続いて第１のタグＴｇ１が読み取られたことが示された場合に、器具Ｇｊが固定部Ｈｌｄによって作業着Ｗｒに固定された位置関係であると判別する。逆に、第１のタグＴｇ１に続いて第２のタグＴｇ２が読み取られたことが示された場合に、判別部１８は、器具Ｇｊが固定部Ｈｌｄから抜き取られた位置関係であると判別する。
【００８０】
図６に示したウェアラブルデバイス１０は、読み取り部１７で第１のタグＴｇ１及び第２のタグＴｇ２を読み取ることで得られた情報に基づいて、判別部１８により、器具Ｇｊと固定部Ｈｌｄとの位置関係を判別する。これにより、図６に示したウェアラブルデバイス１０は、器具Ｇｊの管理に有用な情報を得ることができる。
【００８１】
例えば、読み取り部１７による読み取りが行われる毎に、判別部１８は、読み取り結果に基づいて判別した位置関係を示す情報を、携帯端末ＵＥに含まれるメモリなどに記憶させる。また、判別部１８は、判別結果を示す情報とともに、読み取りが行われた時刻を示す情報を携帯端末ＵＥに含まれるメモリなどに記憶させることで、器具Ｇｊが使用された時刻や回数を示す履歴情報を生成してもよい。
【００８２】
図７は、ウェアラブルデバイス１０の別実施形態を示す。なお、図７に示した構成要素のうち、図１及び図２に示した構成要素と同等のものについては、同一の符号を付して示し、その説明は省略する。
【００８３】
図７に示したウェアラブルデバイス１０は、人物Ｐ２が着用しているジャケットＪｋと、所定の長さを有する導体１１１と、アンテナ１１２と、アンテナ１１３とを含んでいる。
【００８４】
図７に示したジャケットＪｋに設けられたポケットＰｋなどの収納部には、近接無線通信用の電子タグＣ５を含む定期券Ｔｋが収納されている。電子タグＣ５は、近距離無線通信を行う機能を有し、人物Ｐ２によって携帯される第２通信部の一例であり、図１に示した通信部Ｃ２に相当する。なお、図７に示したポケットＰｋに収納される電子タグＣ５は、定期券Ｔｋに含まれる電子タグに限らず、近距離無線通信による電子決済を行う機能が搭載されたスマートフォンや携帯電話、タブレット型の端末に含まれる電子タグでもよい。
【００８５】
また、図７に示した人物Ｐ２の外部に設置された自動改札機Ｇｔは、近距離無線通信により電子タグを読み取る機能を有する読み取り部Ｃ６を含んでいる。自動改札機Ｇｔは、人物Ｐ２の外部に設置された装置の一例であり、図１に示した装置ＥＱに相当する。また、読み取り部Ｃ６は、近距離無線通信を行う機能を有する第１通信部の一例であり、図１に示した通信部Ｃ１に相当する。
【００８６】
図７に示したアンテナ１１２は、図２(Ａ−１)、(Ａ−２)に示した２つの枝部ＣＬ１ａ、ＣＬ１ｂを含んでおり、２つの枝部ＣＬ１ａ、ＣＬ１ｂが共通に接続された導体１１１の一端Ｔ１における電波の誘導を行う。すなわち、アンテナ１１２は、導体１１１の一端Ｔ１における電波の誘導を行う第１誘導部の一例である。
【００８７】
また、アンテナ１１２に含まれる２つの枝部ＣＬ１ａ、ＣＬ１ｂのそれぞれは、例えば、人物Ｐ２の右手にはめられた手袋ＧＬにより、人物Ｐ２の人差し指と薬指とに装着させられる。
【００８８】
また、図７に示したポケットＰｋは、定期券Ｔｋを収納するとともに、定期券Ｔｋに含まれる電子タグＣ５に対向する位置に、アンテナ１１３を固定する。アンテナ１１３は、例えば、ポケットＰｋの内側あるいはポケットＰｋが縫い付けられたジャケットＪｋの前身頃の生地に固定されていることが望ましい。また、アンテナ１１３は、図１に示したようにポケットＰｋの内部に設けられたホルダ１３１の内部に収納されることで、電子タグＣ５に対向して固定されてもよい。
【００８９】
電子タグＣ５に対向してアンテナ１１３が装着されていることにより、電子タグＣ５とアンテナ１１３との間の無線経路は、定期券ＴｋがポケットＰｋに収納されている間にわたって維持される。すなわち、定期券ＴｋがポケットＰｋに収納されている状態では、導体１１１及び線状の導体の両端Ｔ１、Ｔ２に接続されたアンテナ１１２、１１３は、定期券Ｔｋに含まれる電子タグＣ５の拡張アンテナとして機能する。
【００９０】
また、図７に示したアンテナ１１２の特性は、人物Ｐ２の人差し指と薬指とによる意識的操作により、枝部ＣＬ１ａ、ＣＬ１ｂが図２(Ａ−２)に示した位置関係となった場合に第２特性に変化する。そして、アンテナ１１２と読み取り部Ｃ６との間の無線経路１４は、アンテナ１１２が第２特性を示している状態で、例えば、人物Ｐ２が自動改札機Ｇｔに設けられた読み取り部Ｃ６に手袋ＧＬを装着した手で触れた場合に接続される。すなわち、自動改札機Ｇｔに設けられた読み取り部Ｃ６と、人物Ｐ２のジャケットＪｋに設けられたポケットＰｋに収納された電子タグＣ５との間は、人物Ｐ２の操作に応じて接続される無線経路１４と、導体１１１とを含む通信経路によって接続される。
【００９１】
そして、接続された通信経路は、図７に示した自動改札機Ｇｔの読み取り部Ｃ６による電子タグＣ５の読み取りに用いられる。
【００９２】
図８は、図７に示したウェアラブルデバイス１０の動作を示す。
【００９３】
ステップＳ３０５において、図７に示した電子タグＣ５は、無線経路１４を含む通信経路により、自動改札機Ｇｔの読み取り部Ｃ６と接続されたか否かを判定する。
【００９４】
図７に示したアンテナ１１２が第２特性を示す形状に変形させられていない場合や、人物Ｐ２が自動改札機Ｇｔから離れた位置にいる場合に、アンテナ１１２と読み取り部Ｃ６との間の無線経路１４は未接続となる。この場合に、電子タグＣ５は、ステップＳ３０５の否定判定ルート(ＮＯ)に進み、ステップＳ３０５の処理を繰り返すことで、無線経路１４を含む通信経路による読み取り部Ｃ６との接続を待ち受ける。
【００９５】
一方、アンテナ１１２が第２特性を示す形状に変形させられた状態で、例えば、人物Ｐ２が自動改札機Ｇｔの読み取り部Ｃ６に手袋ＧＬを装着した手で触れた場合に、図７に示した無線経路１４は接続される。この場合に、処理は、ステップＳ３０５の肯定判定ルート(ＹＥＳ)にしたがって、ステップＳ３０６に進む。
【００９６】
ステップＳ３０６において、電子タグＣ５は、内蔵するメモリに保持されたタグ情報を、無線経路１４を含む通信経路を介して、読み取り部Ｃ６に読み取らせた後に、処理を終了する。
【００９７】
つまり、図７に示したウェアラブルデバイス１０は、人物Ｐ２が自動改札機Ｇｔを通る際に、アンテナ１１２に第２特性を示させる操作を行うことで、定期券Ｔｋをポケットに収納したまま、電子タグＣ５を読み取り部Ｃ６に読み取らせることができる。
【００９８】
すなわち、図７に示したウェアラブルデバイス１０は、自動改札機Ｇｔを通る毎に定期券Ｔｋをポケットやバッグから取り出して読み取り部Ｃ６にかざすといった煩雑な作業から、ウェアラブルデバイス１０を装着した人物Ｐ２を解放することができる。
【００９９】
更に、図７に示したウェアラブルデバイス１０は、人物Ｐ２の指先のアンテナ１１２から定期券Ｔｋに含まれる電子タグＣ５の読み取りが可能な機会を、人物Ｐ２による意識的操作が継続している期間に限定することができる。これにより、図７に示したウェアラブルデバイス１０は、電子タグＣ５から延長されたアンテナからの読み取りタイミングを限定しない従来技術に比べて、定期券Ｔｋや携帯端末ＵＥに含まれる個人情報をより高度に保護することが可能である。すなわち、図７に示したウェアラブルデバイス１０は、電子タグＣ５や携帯端末ＵＥに含まれる情報をスキミングなどによる漏洩から守ることが可能であり、セキュリティの観点においても有用である。
【０１００】
なお、自動改札機Ｇｔは、人物Ｐ２が読み取り部Ｃ６に定期券Ｔｋをかざした場合と同様の処理により、定期券Ｔｋに含まれる電子タグＣ５に含まれる識別情報を読み取ることができる。すなわち、図７に示したウェアラブルデバイス１０は、既存の自動改札機Ｇｔや読み取り部Ｃ６のハードウェア及びソフトウェアを維持したままで利用することが可能である。
【０１０１】
図４から図６を用いて説明したように、本件開示のウェアラブルデバイス１０は、ポケットＰｋに収納した携帯端末ＵＥに含まれる通信部Ｃ２が、外部の装置ＥＱに含まれる電子タグＴａｇ０を読み取る際の信号の伝達を媒介することができる。
【０１０２】
また、図７、図８を用いて説明したように、本件開示のウェアラブルデバイス１０は、ポケットＰｋに収納した定期券Ｔｋに含まれる電子タグＣ５を、外部の自動改札機Ｇｔに読み取らせる際の信号の伝達を媒介することができる。
【０１０３】
したがって、本件開示のウェアラブルデバイス１０は、例えば、近距離無線通信により双方向の通信を行う機能を有する携帯端末ＵＥをアンテナ１１３に対向して装着することで、ウェアラブルデバイス１０を着用した人物同士での双方向の通信を実現可能である。
【０１０４】
例えば、ウェアラブルデバイス１０を着用した人物同士で、アンテナ１１２に意識的な操作を行いつつ、アンテナ１１２を装着した手等の部位を互いに接触させることで、互いのポケットＰｋに収納された携帯端末ＵＥ間で双方向の通信を実現することもできる。
【０１０５】
ところで、例えば、図６に示したウェアラブルデバイス１０は、スマートフォンや携帯電話、タブレット型の端末などの携帯端末ＵＥに搭載されたプロセッサやメモリなどのハードウェアを利用して実現することが可能である。
【０１０６】
図９は、図６に示したウェアラブルデバイス１０のハードウェア構成例を示す。なお、図９には、図６に示したウェアラブルデバイス１０に含まれるアンテナ１１２として、図３に示した器具Ｇｊを含むアンテナ１１２を用いる場合のハードウェア構成例を示す。また、図９に示した構成要素のうち、図３、図６に示した構成要素と同等のものについては、同一の符号を付して示し、その説明は省略する。
【０１０７】
図９に示した携帯端末ＵＥは、プロセッサ２１と、メモリ２２と、近距離無線通信インタフェース２３と、汎用インタフェース２４と、音声処理部２５と、ネットワークインタフェース２６と、表示制御部２７と、液晶表示部２８とを含んでいる。図９に示したプロセッサ２１と、メモリ２２と、近距離無線通信インタフェース２３と、汎用インタフェース２４と、音声処理部２５と、ネットワークインタフェース２６と、表示制御部２７とは、バスを介して互いに接続されている。また、プロセッサ２１と、メモリ２２と、近距離無線通信インタフェース２３と、汎用インタフェース２４と、音声処理部２５と、ネットワークインタフェース２６とは、ウェアラブルデバイス１０に含まれている。
【０１０８】
また、図９に示した近距離無線通信インタフェース２３と、アンテナ１１３及び読み取り部１７のそれぞれとの間は、無線経路によって接続されている。また、アンテナ１１３とアンテナ１１２に含まれるアンテナＡｆとは導体１１１によって接続されている。
【０１０９】
なお、図９においては、導体１１１とアンテナ１１２、１１３とを携帯端末ＵＥの利用者に装着させるための衣服の図示を省略している。導体１１１とアンテナ１１２、１１３は、図６に示した導体１１１とアンテナ１１２、１１３と同様に、図６に示した作業着Ｗｒに相当する衣服に固定され、衣服を介して利用者に装着される。同様に、図９に示した携帯端末ＵＥは、図６に示した作業着Ｗｒに相当する衣服のポケット等に収納されており、衣服のポケットにおいて、図９に示したアンテナ１１３と近距離無線通信インタフェース２３とを対向させる配置で装着される。つまり、携帯端末ＵＥに含まれる近距離無線通信インタフェース２３は、ウェアラブルデバイス１０に利用者に装着された近距離無線通信を行う機能を有する第２通信部の一例であり、図６に示した通信部Ｃ２に相当する。
【０１１０】
また、汎用インタフェース２４は、提示部１６に含まれるヘッドマウントディスプレイの表示部１６１に接続されており、プロセッサ２１によって生成された情報を表示部１６１に表示させる。
【０１１１】
音声処理部２５は、提示部１６に含まれるヘッドフォン１６２に接続されており、プロセッサ２１によって生成された情報を示す音声をヘッドフォン１６２に出力させることで、ウェアラブルデバイス１０の利用者に音声情報を提示する。
【０１１２】
ネットワークインタフェース２６は、ネットワークＮＷを介して、プロセッサ２１と、携帯端末ＵＥの外部に設置されたサーバ装置ＳＶとを接続する。
【０１１３】
表示制御部２７は、メモリ２２に格納されたオペレーティングシステムなどに従って生成した情報に基づいて、液晶表示部２８にテキストや画像などの情報を表示させる処理を行う。
【０１１４】
図９に示したメモリ２２は、携帯端末ＵＥのオペレーティングシステムとともに、プロセッサ２１がウェアラブルデバイス１０を用いたインタフェース制御処理を実行するためのアプリケーションプログラムを格納している。なお、インタフェース制御処理を実行するためのアプリケーションプログラムは、例えば、ネットワークインタフェース２６により、サーバ装置ＳＶからネットワークＮＷ経由でダウンロードし、メモリ２２に読み込ませてもよい。
【０１１５】
そして、プロセッサ２１は、メモリ２２に格納されたアプリケーションプログラムを実行することにより、提示部１６に含まれる表示部１６１に表示させる画像情報やヘッドフォン１６２に出力させる音声情報を生成してもよい。
【０１１６】
また、図９に示したアンテナ１１２に含まれる器具Ｇｊは、図３に示したアンテナＡｒ１と、アンテナＡｒ２と、図６に示した第１のタグＴｇ１及び第２のタグＴｇ２に加えて、第３のタグＴｇ３を含んでいる。第３のタグＴｇ３は、例えば、器具Ｇｊがウェアラブルデバイス１０の利用者に掴まれた際に、アンテナＡｆと対向する位置に設置されることが望ましい。例えば、第３のタグＴｇ３は、器具Ｇｊの一端に設けられたグリップＧｒの内部に、アンテナＡｒ１とともに埋め込まれていてもよい。
【０１１７】
ここで、図９に示したアンテナＡｆ及びアンテナＡｒ１の感度は、アンテナＡｒ２の感度よりも低くに調整されることが望ましい。アンテナＡｆ、アンテナＡｒ１及びアンテナＡｒ２の感度は、例えば、アンテナＡｆ、アンテナＡｒ１及びアンテナＡｒ２のそれぞれに含まれるコイルの巻き数Ｎｆ、Ｎ１、Ｎ２とを互いに異なる数に設定することで調整することができる。例えば、固定アンテナのコイルの巻き数Ｎｆと第１アンテナのコイルの巻き数Ｎ１との差及び、巻き数Ｎ１と第２アンテナのコイルの巻き数Ｎ２との差をそれぞれ所定数(例えば、２)とすることが望ましい。
【０１１８】
巻き数Ｎｆ、Ｎ１、Ｎ２が設定されたアンテナＡｆ、アンテナＡｒ１、アンテナＡｒ２を含むウェアラブルデバイス１０は、器具Ｇｊが利用者に装着された際に、アンテナＡｆにて第３のタグＴｇ３を読み取ることができる。そして、巻き数Ｎｆ、Ｎ１、Ｎ２が設定されたアンテナＡｆ、アンテナＡｒ１、アンテナＡｒ２を含むウェアラブルデバイス１０は、器具Ｇｊが電子タグＴａｇ０に近づけられた際にアンテナＡｒ２にて電子タグＴａｇ０を読み取ることができる。
【０１１９】
すなわち、図９に示した第３のタグＴｇ３と、アンテナＡｆ、アンテナＡｒ１及びアンテナＡｒ２とを有するアンテナ１１２を含むウェアラブルデバイス１０は、器具Ｇｊの装着を含めて、器具Ｇｊの管理に有用な情報を収集することができる。
【０１２０】
図１０は、図９に示したウェアラブルデバイス１０の動作を示す。なお、図１０に示したステップのうち、図５に示したステップと同等のものは、同一の符号を付して示され、また、その説明は省略される場合がある。
【０１２１】
図１０に示したステップＳ３０１〜ステップＳ３０３及びステップＳ３１１〜ステップＳ３１６の各処理は、ウェアラブルデバイス１０を用いたインタフェース制御処理のためのアプリケーションプログラムに含まれる処理の一例である。また、ステップＳ３０１〜ステップＳ３０３及びステップＳ３１１〜ステップＳ３１６の各処理は、図９に示したプロセッサ２１によって実行される。
【０１２２】
ステップＳ３１１において、プロセッサ２１は、図９に示した読み取り部１７による第１のタグＴｇ１、第２のタグＴｇ２の読み取りの状態及びアンテナＡｆによる第３のタグＴｇ３の読み取りの状態に基づいて、器具Ｇｊの利用者への装着状態を検査する。プロセッサ２１は、例えば、図１１に示すステップＳ３２１〜ステップＳ３２８の処理を実行することにより、ステップＳ３１１の処理を行ってもよい。
【０１２３】
ステップＳ３１２において、プロセッサ２１は、ステップＳ３１１の処理で、器具Ｇｊが正しく装着されたことを示す結果が得られたか否かを判定する。
【０１２４】
ステップＳ３１１の処理結果として、器具Ｇｊが利用者に正しく装着されたことを示す情報が得られた場合に、プロセッサ２１は、ステップＳ３１２の肯定判定ルート(ＹＥＳ)により、ステップＳ３０１の処理に進む。
【０１２５】
ステップＳ３０１において、プロセッサ２１は、例えば、図９に示した近距離無線通信インタフェース２３の状態を示す情報に基づいて、器具Ｇｊに設置されたアンテナＡｒ２と電子タグＴａｇ０との無線経路１４が接続されたか否かを判定する。
【０１２６】
図３及び図６を用いて説明したように、無線経路１４は、利用者が器具Ｇｊを正しく装着した状態で、器具ＧｊのアンテナＡｒ２を装置ＥＱに含まれる電子タグＴａｇ０に近づけた場合に接続される。そして、無線経路１４を介して電子タグＴａｇ０から渡された信号は、導体である器具Ｇｊと、アンテナＡｒ１とアンテナＡｆとの間の無線経路と、導体１１１と、アンテナ１１３とを介して、近距離無線通信インタフェース２３に伝達される。
【０１２７】
例えば、近距離無線通信インタフェース２３の状態を示す情報により、電子タグＴａｇ０からの信号がまだ到達していないことが示された場合に、プロセッサ２１は、ステップＳ３０１の否定判定ルート(ＮＯ)に従ってステップＳ３０１の処理を繰り返す。
【０１２８】
一方、近距離無線通信インタフェース２３の状態を示す情報により、電子タグＴａｇ０からの信号が到達したことが示された場合に、プロセッサ２１は、ステップＳ３０１の肯定判定ルート(ＹＥＳ)に従ってステップＳ３０２の処理に進む。
【０１２９】
ステップＳ３０２において、プロセッサ２１は、近距離無線通信インタフェース２３を介して、無線経路１４を含む通信経路により、電子タグＴａｇ０から伝達されたタグ情報を受信する。また、プロセッサ２１は、受信したタグ情報を解析することにより、タグ情報から、例えば、図９に示した装置ＥＱに含まれるスイッチＳＷを示す識別情報を取得する。
【０１３０】
ステップＳ３０３において、プロセッサ２１は、ステップＳ３０２の処理で取得した識別情報に基づいて、例えば、図９に示したサーバ装置ＳＶに蓄積された情報を参照することで取得した情報を提示部１６に提示させる。例えば、プロセッサ２１は、図９に示したネットワークインタフェース２６を介してサーバ装置ＳＶにタグ情報から取得した識別情報を送出し、送出した識別情報に対応してサーバ装置ＳＶに蓄積されている情報を照会する。また、プロセッサ２１は、サーバ装置ＳＶに対する照会で得られた情報に基づいて画像情報及び音声情報を生成し、生成した情報を図９に示した表示部１６１及びヘッドフォン１６２を介して提示させる。
【０１３１】
また、プロセッサ２１は、生成した音声情報を、音声処理部２５を介してヘッドフォン１６２に渡すことで、音声によって作業の手順を示す情報を利用者に提示する。また、プロセッサ２１は、生成した画像情報を、汎用インタフェース２４を介して表示部１６１に渡すことで、アイコンやテキスト、図形などを含む画像によって作業の手順を示す情報を利用者に提示する。
【０１３２】
識別情報に対応してサーバ装置ＳＶに蓄積される情報は、表示部１６１による表示が可能な画像情報やヘッドフォン１６２による出力が可能な音声情報でもよいし、画像情報や音声情報を生成するための図形情報やテキスト情報でもよい。また、識別情報に対応してサーバ装置ＳＶに蓄積される情報は、識別情報のそれぞれで示される部品の次に作業の対象とすることが望ましい部品の位置などを案内する情報や、作業の終了を示す情報を含んでいてもよい。また、識別情報に対応してサーバ装置ＳＶに蓄積される情報は、プロセッサ２１に利用者による作業を支援する処理を実行させるためのアプリケーションプログラムの実行を開始させる命令を含んでいてもよい。なお、作業を支援する処理を実行させるためのアプリケーションプログラムは、ウェアラブルデバイス１０を用いたインタフェース制御処理のためのアプリケーションプログラムの一部として、予め、メモリ２２などにインストールされていることが望ましい。
【０１３３】
ステップＳ３１３において、プロセッサ２１は、例えば、サーバ装置ＳＶに対する照会で得られた情報に基づいて、装置ＥＱに含まれるスイッチＳＷなどの部品に対する検査作業などの作業が終了したか否かを判定する。
【０１３４】
例えば、ステップＳ３０３の処理の過程で、サーバ装置ＳＶから次に作業することが望ましい部品の位置などを案内する情報を取得した場合に、プロセッサ２１は、作業はまだ終了していないと判断する。この場合に、プロセッサ２１は、ステップＳ３１３の否定判定ルート(ＮＯ)に従ってステップＳ３０１の処理に戻り、ステップＳ３０１〜ステップＳ３０３及びステップＳ３１３の処理を繰り返す。
【０１３５】
一方、ステップＳ３０３の処理の過程で、サーバ装置ＳＶから作業の終了を示す情報を取得した場合に、プロセッサ２１は、作業は終了したと判断し、ステップＳ３１３の肯定判定ルート(ＹＥＳ)に従ってステップＳ３１４の処理に進む。
【０１３６】
ステップＳ３１４において、プロセッサ２１は、図９に示した読み取り部１７により、第１のタグＴｇ１、第２のタグＴｇ２が読み取られた順序に基づいて、器具Ｇｊの収納状態を検査する。プロセッサ２１は、例えば、図１２に示すステップＳ３３１〜ステップＳ３３６の処理を実行することにより、ステップＳ３１４の処理を行ってもよい。
【０１３７】
ステップＳ３１５において、プロセッサ２１は、ステップＳ３１４の処理で、器具Ｇｊの収納が確認されたことを示す結果が得られたか否かを判定する。
【０１３８】
ステップＳ３１４の処理結果として、器具Ｇｊの収納が確認されたことを示す情報が得られた場合に、プロセッサ２１は、ステップＳ３１５の肯定判定ルート(ＹＥＳ)により、ウェアラブルデバイス１０を用いたインタフェース制御処理を終了する。
【０１３９】
一方、ステップＳ３１４の処理結果として、器具Ｇｊの収納が確認できないことを示す情報が得られた場合に、プロセッサ２１は、ステップＳ３１５の否定判定ルート(ＮＯ)にてステップＳ３１６の処理に進む。同様に、ステップＳ３１１の処理結果として、器具Ｇｊが正しく装着されなかったことを示す情報が得られた場合に、プロセッサ２１は、ステップＳ３１２の否定判定ルート(ＮＯ)にてステップＳ３１６の処理に進む。
【０１４０】
ステップＳ３１６において、プロセッサ２１は、器具Ｇｊの装着あるいは収納に関する警告メッセージを生成し、提示部１６に含まれる表示部１６１及びヘッドフォン１６２の少なくとも一方の機能を用いて、生成した警告メッセージを提示する。また、プロセッサ２１は、生成した警告メッセージを提示する処理の完了後に、ウェアラブルデバイス１０を用いたインタフェース制御処理を終了する。
【０１４１】
図１１は、図１０にステップＳ３１１で示した器具Ｇｊの装着状態を検査する処理の例を示す。図１１に示したステップＳ３２１〜ステップＳ３２８の各処理は、ウェアラブルデバイス１０を用いたインタフェース制御処理のためのアプリケーションプログラムに含まれる処理の一例である。また、ステップＳ３２１〜ステップＳ３２８の各処理は、図９に示したプロセッサ２１によって実行される。
【０１４２】
ステップＳ３２１において、プロセッサ２１は、図９に示した近距離無線通信インタフェース２３に、読み取り部１７から第１のタグＴｇ１に含まれる識別情報が伝達されたか否かに基づいて、第１のタグＴｇ１を読み取ったか否かを判定する。
【０１４３】
第１のタグＴｇ１がまだ読み取られていない場合に(ステップＳ３２１の否定判定(ＮＯ))、プロセッサは、ステップＳ３２１の処理に戻り、ステップＳ３２１の処理を繰り返すことで、第１のタグＴｇ１の読み取りを待ち受ける。
【０１４４】
一方、第１のタグＴｇ１に含まれる識別情報を近距離無線通信インタフェース２３から受けた場合に(ステップＳ３２１の肯定判定(ＹＥＳ))、プロセッサ２１は、ステップＳ３２２の処理に進む。
【０１４５】
ステップＳ３２２において、プロセッサ２１は、第１のタグＴｇ１が読み取られてからの経過時間が所定時間τ１を超えたか否かを判定する。所定時間τ１は、例えば、利用者が図６に示した固定部Ｈｌｄから器具Ｇｊを引き抜く際に、第１のタグＴｇ１が読み取られてから、第２のタグＴｇ２が読み取られるまでに経過することが予想される時間程度に設定されることが望ましい。
【０１４６】
第１のタグＴｇ１が読み取られてからの経過時間が所定時間τ１未満である場合に（ステップＳ３２２の否定判定(ＮＯ)）、プロセッサ２１は、ステップＳ３２３の処理に進む。
【０１４７】
ステップＳ３２３において、プロセッサ２１は、近距離無線通信インタフェース２３に、読み取り部１７から第２のタグＴｇ２に含まれる識別情報が伝達されたか否かに基づいて、第２のタグＴｇ２を読み取ったか否かを判定する。
【０１４８】
第２のタグＴｇ２がまだ読み取られていない場合に(ステップＳ３２３の否定判定(ＮＯ))、プロセッサは、ステップＳ３２２の処理に戻り、ステップＳ３２２及びステップＳ３２３の処理を繰り返すことで、第２のタグＴｇ２の読み取りを待ち受ける。
【０１４９】
第１のタグＴｇ１を読み取ってから所定時間τ１が経過する前に、第２のタグＴｇ２に含まれる識別情報を近距離無線通信インタフェース２３から受けた場合に（ステップＳ３２３の肯定判定(ＹＥＳ)）、プロセッサ２１は、ステップＳ３２４の処理に進む。
【０１５０】
ステップＳ３２４において、プロセッサ２１は、第２のタグＴｇ２が読み取られてからの経過時間が所定時間τ２を超えたか否かを判定する。所定時間τ２は、例えば、利用者が図６に示した固定部Ｈｌｄから器具Ｇｊを引き抜いてから、器具ＧｊのグリップＧｒを掴んだことによって第３のタグＴｇ３と図９に示したアンテナＡｆとが対向する配置となるまでの時間程度に設定されることが望ましい。
【０１５１】
第２のタグＴｇ２が読み取られてからの経過時間が所定時間τ２未満である場合に（ステップＳ３２４の否定判定(ＮＯ)）、プロセッサ２１は、ステップＳ３２５の処理に進む。
【０１５２】
ステップＳ３２５において、プロセッサ２１は、近距離無線通信インタフェース２３に、アンテナＡｆから第３のタグＴｇ３に含まれる識別情報が伝達されたか否かに基づいて、第３のタグＴｇ３を読み取ったか否かを判定する。
【０１５３】
第３のタグＴｇ３がまだ読み取られていない場合に(ステップＳ３２５の否定判定(ＮＯ))、プロセッサは、ステップＳ３２４の処理に戻り、ステップＳ３２４及びステップＳ３２５の処理を繰り返すことで、第３のタグＴｇ３の読み取りを待ち受ける。
【０１５４】
第２のタグＴｇ２が読み取られてから所定時間τ２が経過する前に、第３のタグＴｇ３に含まれる識別情報を近距離無線通信インタフェース２３から受けた場合に（ステップＳ３２５の肯定判定(ＹＥＳ)）、プロセッサ２１は、ステップＳ３２６の処理に進む。
【０１５５】
ステップＳ３２６において、プロセッサ２１は、現在の時刻とともに、器具Ｇｊが使用可能な状態で利用者に装着されたことを示す履歴情報を生成し、生成した履歴情報を図９に示したメモリ２２に蓄積する。
【０１５６】
ステップＳ３２７において、プロセッサ２１は、器具Ｇｊが正しく装着されたことを示す情報を出力し、その後、プロセッサ２１は、器具Ｇｊの装着状態を検査する処理を終了し、図１０に示したステップＳ３１２の処理に進む。
【０１５７】
一方、第２のタグＴｇ２が読み取られる前に第１のタグＴｇ１が読み取られてからの経過時間が所定時間τ１以上となった場合に(ステップＳ３２２の肯定判定(ＹＥＳ))、プロセッサ２１は、ステップＳ３２８の処理に進む。同様に、第３のタグＴｇ３が読み取られる前に第２のタグＴｇ２が読み取られてからの経過時間が所定時間τ２以上となった場合に（ステップＳ３２４の肯定判定(ＹＥＳ)）、プロセッサ２１は、ステップＳ３２８の処理に進む。
【０１５８】
ステップＳ３２８において、プロセッサ２１は、器具Ｇｊが正しく装着されていないことを示す情報を出力し、その後、プロセッサ２１は、器具Ｇｊの装着状態を検査する処理を終了し、図１０に示したステップＳ３１２の処理に進む。
【０１５９】
なお、プロセッサ２１は、ステップＳ３２８の処理の過程で、器具Ｇｊの装着状態の異常を検出した時刻などを示す情報を履歴情報の一部としてメモリ２２に記憶させてもよい。
【０１６０】
図１１に示したステップＳ３２１〜ステップＳ３２８の処理を実行することで、プロセッサ２１は、器具Ｇｊの装着状態に関する情報を収集し、収集した情報に基づいて生成した履歴情報をメモリ２２に蓄積することができる。すなわち、プロセッサ２１がステップＳ３２１〜ステップＳ３２８の処理を実行することは、器具Ｇｊの装着状態を判定する判定部の実施形態の一つである。
【０１６１】
図１２は、図１０にステップＳ３１４で示した器具Ｇｊの収納状態を検査する処理の例を示す。図１２に示したステップＳ３３１〜ステップＳ３３６の各処理は、ウェアラブルデバイス１０を用いたインタフェース制御処理のためのアプリケーションプログラムに含まれる処理の一例である。また、ステップＳ３３１〜ステップＳ３３６の各処理は、図９に示したプロセッサ２１によって実行される。
【０１６２】
ステップＳ３３１において、プロセッサ２１は、図９に示した近距離無線通信インタフェース２３に、読み取り部１７から第２のタグＴｇ２に含まれる識別情報が伝達されたか否かに基づいて、第２のタグＴｇ２を読み取ったか否かを判定する。
【０１６３】
第２のタグＴｇ２がまだ読み取られていない場合に(ステップＳ３３１の否定判定(ＮＯ))、プロセッサは、ステップＳ３３１の処理に戻り、ステップＳ３３１の処理を繰り返すことで、第２のタグＴｇ２の読み取りを待ち受ける。
【０１６４】
一方、第２のタグＴｇ２に含まれる識別情報を近距離無線通信インタフェース２３から受けた場合に(ステップＳ３３１の肯定判定(ＹＥＳ))、プロセッサ２１は、ステップＳ３３２の処理に進む。
【０１６５】
ステップＳ３３２において、プロセッサ２１は、第２のタグＴｇ２が読み取られてからの経過時間が所定時間τ３以上か否かを判定する。所定時間τ３は、例えば、利用者が図６に示した固定部Ｈｌｄに器具Ｇｊを収納する際に、第２のタグＴｇ２が読み取られてから、第１のタグＴｇ１が読み取られるまでに経過することが予想される時間程度に設定されることが望ましい。
【０１６６】
第２のタグＴｇ２が読み取られてからの経過時間が所定時間τ３未満である場合に（ステップＳ３３２の否定判定(ＮＯ)）、プロセッサ２１は、ステップＳ３３３の処理に進む。
【０１６７】
ステップＳ３３３において、プロセッサ２１は、近距離無線通信インタフェース２３に、読み取り部１７から第１のタグＴｇ１に含まれる識別情報が伝達されたか否かに基づいて、第１のタグＴｇ１を読み取ったか否かを判定する。
【０１６８】
第１のタグＴｇ１がまだ読み取られていない場合に(ステップＳ３３３の否定判定(ＮＯ))、プロセッサは、ステップＳ３３２の処理に戻り、ステップＳ３３２及びステップＳ３３３の処理を繰り返すことで、第１のタグＴｇ１の読み取りを待ち受ける。
【０１６９】
第２のタグＴｇ２が読み取られてから所定時間τ３が経過する前に、第１のタグＴｇ１に含まれる識別情報を近距離無線通信インタフェース２３から受けた場合に（ステップＳ３３３の肯定判定(ＹＥＳ)）、プロセッサ２１は、ステップＳ３３４の処理に進む。
【０１７０】
ステップＳ３３４において、プロセッサ２１は、現在の時刻とともに、器具Ｇｊが固定部Ｈｌｄに収納されたことを示す履歴情報を生成し、生成した履歴情報を図９に示したメモリ２２に蓄積する。
【０１７１】
ステップＳ３３５において、プロセッサ２１は、器具Ｇｊが正しく収納されたことを示す情報を出力し、その後、プロセッサ２１は、器具Ｇｊの収納状態を検査する処理を終了し、図１０に示したステップＳ３１５の処理に進む。
【０１７２】
一方、第１のタグＴｇ１が読み取られる前に第２のタグＴｇ２が読み取られてからの経過時間が所定時間τ３以上の場合に(ステップＳ３３２の肯定判定(ＹＥＳ))、プロセッサ２１は、ステップＳ３３６の処理に進む。
【０１７３】
ステップＳ３３６において、プロセッサ２１は、器具Ｇｊが正しく収納されていないことを示す情報を出力し、その後、プロセッサ２１は、器具Ｇｊの収納状態を検査する処理を終了し、図１０に示したステップＳ３１５の処理に進む。
【０１７４】
なお、プロセッサ２１は、ステップＳ３３６の処理の過程で、器具Ｇｊの収納状態の異常を検出した時刻などを示す情報を履歴情報の一部としてメモリ２２に蓄積しもよい。
【０１７５】
図１２に示したステップＳ３３１〜ステップＳ３３６の処理を実行することで、プロセッサ２１は、器具Ｇｊの収納状態に関する情報を収集し、収集した情報に基づいて生成した履歴情報をメモリ２２に蓄積することができる。
【０１７６】
図１１に示したステップＳ３２７の処理でメモリ２２に蓄積された器具Ｇｊの装着に関する履歴情報と、図１２に示したステップＳ３３４の処理でメモリ２２に蓄積された器具Ｇｊの収納に関する履歴情報とは、いずれも器具Ｇｊの管理に有用な情報である。
【０１７７】
すなわち、図９に示したプロセッサ２１により、図１０から図１２に示した各ステップの処理を実行することにより、ウェアラブルデバイス１０は、利用者に使いやすいインタフェースを提供するとともに、器具Ｇｊの管理に有用な情報を蓄積することができる。
【０１７８】
図１３は、ウェアラブルデバイスの別実施形態を示す。なお、図１３に示した構成要素のうち、図１および図３に示した構成要素と同等のものについては、同一の符号を付して示し、その説明は省略する。図１３の無線接続は、アンテナＡｗ１３とアンテナＡｃ１とが無線で接続された状態を示している。また、図１３の未接続は、アンテナＡｗ１３とアンテナＡｃ１との間の通信経路が遮断されている状態を示している。なお、図１３の未接続では、図を見やすくするために、アンテナＡｗ１２の周辺、人物Ｐ１等の記載を省略している。アンテナＡｃ１は、アンテナＡｗ１０の通信相手のアンテナの一例である。アンテナＡｃ１は、例えば、図１等に示した通信部Ｃ１のアンテナである。
【０１７９】
この実施形態のウェアラブルデバイス１０Ａは、アンテナＡｗ１０を有している。アンテナＡｗ１０は、人物の身体の随意運動が可能な部位に少なくとも一部が装着される第３誘導部の一例である。アンテナＡｗ１０は、例えば、図１等に示したアンテナ１１２に対応している。例えば、アンテナＡｗ１０は、人物Ｐ１の手首などに固定されるアンテナＡｗ１１と、導電性を有する棒状の器具Ｇｊと、器具Ｇｊに設置されたアンテナＡｗ１２、Ａｗ１３とを含んでいる。なお、アンテナＡｗ１１、Ａｗ１２、Ａｗ１３は、互いに同じ感度でもよいし、異なる感度でもよい。
【０１８０】
アンテナＡｗ１１は、アンテナとして機能し、人物の身体の随意運動が可能な部位に装着される第１のアンテナの一例である。アンテナＡｗ１１には、例えば、導体１１１の一端Ｔ１が接続される。導体１１１の他端は、例えば、図１等で説明したように、近距離無線通信用の通信部Ｃ２に対向して配置されるアンテナ１１３に接続される。なお、導体１１１の他端は、図１等に示した通信部Ｃ２に接続されてもよい。
【０１８１】
器具Ｇｊは、人物による把持が可能であり、所定の長さを有する器具の一例である。例えば、器具Ｇｊは、人物Ｐ１によって掴まれることで、人物Ｐ１の身体に接続され、逆に、人物Ｐ１が器具Ｇｊを離すことで人物Ｐ１への接続が解除される。
【０１８２】
アンテナＡｗ１２は、人物が器具を把持した際に第１のアンテナとの距離が第２距離以下となる箇所に設置された第２のアンテナの一例である。アンテナＡｗ１２は、例えば、人物Ｐ１が器具Ｇｊを掴む位置を指定するために器具Ｇｊの一端に設けられたグリップＧｒなどに隣接して設置される。例えば、アンテナＡｗ１２は、人物Ｐ１がグリップＧｒの位置で器具Ｇｊを掴んだ場合に、アンテナＡｗ１１からの距離が所定値Ｌ２以下となる位置に設置される。
【０１８３】
例えば、アンテナＡｗ１１、Ａｗ１２のそれぞれによる電波を誘導する作用の強さは、アンテナＡｗ１１とアンテナＡｗ１２との距離が所定値Ｌ２以下のときに、両者の間に無線経路が接続される強さに調整されている。したがって、例えば、人物Ｐ１がグリップＧｒの位置で器具Ｇｊを掴んだ場合に、アンテナＡｗ１１とアンテナＡｗ１２との距離が所定値Ｌ２以下になり、アンテナＡｗ１１とアンテナＡｗ１２とが無線で接続される。
【０１８４】
換言すれば、人物Ｐ１が器具Ｇｊを離すことにより、アンテナＡｗ１１とアンテナＡｗ１２との距離が所定値Ｌ２より離れ、アンテナＡｗ１１とアンテナＡｗ１２との間の通信経路が遮断される。すなわち、アンテナＡｗ１１とアンテナＡｗ１２との距離が距離Ｌ２より離れている状態では、アンテナＡｗ１１とアンテナＡｗ１２との間の通信経路は遮断される。また、アンテナＡｗ１１とアンテナＡｗ１２との距離が距離Ｌ２以下の状態では、アンテナＡｗ１１とアンテナＡｗ１２とが無線で接続される。
【０１８５】
なお、アンテナＡｗ１１とアンテナＡｗ１２との距離が距離Ｌ２より離れている状態は、第１状態の一例である。そして、アンテナＡｗ１１とアンテナＡｗ１２との距離が距離Ｌ２以下の状態は、第２状態の一例である。すなわち、アンテナＡｗ１０は、アンテナＡｗ１０の形状の変化（アンテナＡｗ１１とアンテナＡｗ１２との距離の変化）に応じて、第１状態と第２状態とのいずれかに選択される。
【０１８６】
アンテナＡｗ１３は、第２のアンテナと導体を介して接続される第３のアンテナの一例である。図１３の例では、導電性を有する棒状の器具Ｇｊが導体として機能する。例えば、アンテナＡｗ１３は、器具Ｇｊにおいて、アンテナＡｗ１２が設置された箇所から離れた位置で、かつ、端部Ｅｇ１から距離Ｌ１より離れた位置に設置される。アンテナＡｗ１３から端部Ｅｇ１までの距離は、例えば、距離Ｌ１より長い距離Ｌ１０である。
【０１８７】
例えば、アンテナＡｗ１３、Ａｃ１のそれぞれによる電波を誘導する作用の強さは、アンテナＡｗ１３とアンテナＡｃ１との距離が所定値Ｌ１以下のときに、両者の間に無線経路１４が接続される強さに調整されている。したがって、例えば、アンテナＡｗ１３とアンテナＡｃ１との距離が所定値Ｌ１以下のとき、アンテナＡｗ１３とアンテナＡｃ１とが無線で接続される。換言すれば、アンテナＡｗ１３とアンテナＡｃ１との距離が所定値Ｌ１より離れているとき、アンテナＡｗ１３とアンテナＡｃ１との間の通信経路が遮断される。
【０１８８】
例えば、アンテナＡｗ１０とアンテナＡｃ１との通信経路は、アンテナＡｗ１１とアンテナＡｗ１２との間の無線経路と、器具ＧｊのアンテナＡｗ１２、Ａｗ１３間の部分（導体）と、アンテナＡｗ１３とアンテナＡｃ１との間の無線経路１４とを含んでいる。したがって、アンテナＡｗ１１とアンテナＡｗ１２との距離が距離Ｌ２より離れている第１状態では、アンテナＡｗ１１とアンテナＡｗ１２との間の通信経路が遮断されるため、アンテナＡｗ１０とアンテナＡｃ１との通信経路は、遮断される。
【０１８９】
なお、アンテナＡｗ１０は、アンテナＡｗ１１とアンテナＡｗ１２との距離が距離Ｌ２以下の第２状態で、かつ、通信相手のアンテナＡｃ１との距離が距離Ｌ１以下のとき、通信相手のアンテナＡｃ１との通信経路を確立する。これにより、アンテナＡｗ１０とアンテナＡｃ１との通信経路が確立される。例えば、アンテナＡｗ１０に導体１１１等を介して接続される通信部（例えば、図１の通信部Ｃ２）は、アンテナＡｃ１を含む通信部（例えば、図１の通信部Ｃ１）と通信可能に接続される。
【０１９０】
ここで、図１３の例では、通信相手のアンテナＡｃ１の形状は、中空である。また、器具Ｇｊにおいて、アンテナＡｗ１３が設置された側の端部Ｅｇ１である雄部Ｇｊｍは、通信相手のアンテナＡｃ１の中空の部分である雌部Ａｃ１ｆに挿入可能な形状である。例えば、第２状態では、アンテナＡｗ１３と通信相手のアンテナＡｃ１との距離が距離Ｌ１以下になるまで雄部Ｇｊｍを雌部Ａｃ１ｆに挿入したときに、アンテナＡｗ１３と通信相手のアンテナＡｃ１とが無線で接続される（図１３の無線接続）。これにより、アンテナＡｗ１０と通信相手のアンテナＡｃ１との通信経路が確立される。
【０１９１】
また、第２状態では、アンテナＡｗ１３から通信相手のアンテナＡｃ１を距離Ｌ１より離すことにより、アンテナＡｗ１３とアンテナＡｃ１との間の通信経路が遮断されるため、アンテナＡｗ１０と通信相手のアンテナＡｃ１との通信経路が遮断される（図１３の未接続）。なお、第１状態では、アンテナＡｗ１１とアンテナＡｗ１２との間の通信経路が遮断されているため、アンテナＡｗ１３とアンテナＡｃ１との距離にかかわらず、アンテナＡｗ１０と通信相手のアンテナＡｃ１との通信経路は、確立されない。
【０１９２】
例えば、アンテナＡｗ１０は、作業着Ｗｒに縫いこまれた導体１１１により人物Ｐ１の手首まで延長されたアンテナＡｗ１１をアンテナＡｃ１と通信可能な距離まで近づけることが困難である場合、器具Ｇｊを装着することにより、アンテナＡｗ１１とアンテナＡｃ１とを通信可能に接続できる。
【０１９３】
例えば、アンテナＡｗ１０は、作業着Ｗｒに縫いこまれた導体１１１により人物Ｐ１の手首まで延長されたアンテナを、器具Ｇｊを装着することにより、長さＬｇ１０程度離れた位置まで更に延長することができる。したがって、アンテナＡｗ１０を有するウェアラブルデバイス１０Ａは、例えば、アンテナＡｃ１が天井など高い場所に設置されている場合にも、器具ＧｊのアンテナＡｗ１３をアンテナＡｃ１から距離Ｌ１以内の箇所に近づけることで無線経路１４を確立できる。
【０１９４】
例えば、アンテナＡｃ１がスプリンクラーや火災報知器などに含まれる電子タグのアンテナである場合、電子タグとアンテナＡｗ１３との間の無線経路１４は、器具ＧｊのアンテナＡｗ１３をスプリンクラーや火災報知器に近づけることで接続される。これにより、アンテナＡｗ１１に導体１１１等を介して接続される通信部は、電子タグの情報を読み取ることが可能となる。このように、アンテナＡｗ１０を有するウェアラブルデバイス１０Ａは、建物の天井あるいは天井付近の壁面に設置される場合が多い機器の点検などの分野において有用である。
【０１９５】
また、例えば、アンテナＡｗ１０では、アンテナＡｗ１０の雄部ＧｊｍをアンテナＡｃ１の雌部Ａｃ１ｆに挿入することにより、アンテナＡｗ１３をアンテナＡｃ１に対向させることができる。したがって、例えば、人物Ｐ１は、アンテナＡｗ１３、Ａｃ１の位置関係を目視で確認することが困難な場合でも、雄部Ｇｊｍが雌部Ａｃ１ｆに挿入されたか否かを判断することにより、アンテナＡｗ１３がアンテナＡｃ１に対向しているか否かを判断できる。
【０１９６】
なお、例えば、アンテナＡｗ１０がアンテナＡｃ１に対向していない位置では、アンテナＡｗ１０の雄部Ｇｊｍは、アンテナＡｃ１の雌部Ａｃ１ｆに挿入されない。このため、アンテナＡｗ１０は、人物Ｐ１の意図しないタイミングで、アンテナＡｃ１から距離Ｌ１以内の箇所にアンテナＡｗ１３が近づくことを抑制できる。換言すれば、アンテナＡｗ１３は、人物Ｐ１により意図されたタイミングで、アンテナＡｃ１から距離Ｌ１以内の箇所に近づけられる。すなわち、図１３に示したウェアラブルデバイス１０Ａは、近距離無線通信の送信側となる通信部と受信側となる通信部との間の通信経路を利用者により意図されたタイミングで接続することができる。
【０１９７】
このように、アンテナＡｗ１０とアンテナＡｃ１との通信経路は、人物Ｐ１の意識的操作が継続している期間にわたって接続され、意識的操作の解除に伴って切断される。すなわち、図１３に示したウェアラブルデバイス１０Ａは、近距離無線通信の送信側となる通信部と受信側となる通信部との間の通信経路を利用者により意図されたタイミングで接続することができる。
【０１９８】
なお、ウェアラブルデバイス１０Ａの構成は、この例に限定されない。例えば、器具Ｇｊは、長さを伸縮させる機構を含んでいてもよい。また、例えば、雄部Ｇｊｍおよび雌部Ａｃ１ｆは、省かれてもよい。
【０１９９】
以上、図１３に示した実施形態のウェアラブルデバイス１０Ａは、アンテナとして機能する部分の形状の変化に応じて、第１状態と第２状態とのいずれかに選択されるアンテナＡｗ１０を有している。例えば、アンテナＡｗ１０は、第１状態のとき、通信相手のアンテナＡｃ１との通信経路が遮断される。そして、第２状態で、かつ、アンテナＡｃ１との距離が距離Ｌ１以下のとき、アンテナＡｗ１０とアンテナＡｃ１との通信経路が確立される。
【０２００】
例えば、器具Ｇｊが人物Ｐ１によって掴まれることで、アンテナＡｗ１０は第２状態になる。逆に、人物Ｐ１が器具Ｇｊを離すことで、アンテナＡｗ１０は第１状態になる。これにより、この実施形態では、近距離無線通信の送信側となる通信部と受信側となる通信部との間の通信経路を利用者により意図されたタイミングで接続することができる。
【０２０１】
図１４は、ウェアラブルデバイスの別実施形態を示す。なお、図１４に示した構成要素のうち、図１から図１３に示した構成要素と同等のものについては、同一の符号を付して示し、その説明は省略する。図１４では、アンテナＡｗ２１とアンテナＡｗ２２との距離が距離Ｌ２より離れている第１状態と、アンテナＡｗ２１とアンテナＡｗ２２との距離が距離Ｌ２以下の第２状態とを示している。アンテナＡｃ２は、アンテナＡｗ２０の通信相手のアンテナの一例である。アンテナＡｃ２は、例えば、図１等に示した通信部Ｃ１のアンテナである。
【０２０２】
この実施形態のウェアラブルデバイス１０Ａは、アンテナＡｗ２０を有している。アンテナＡｗ２０は、人物の身体の随意運動が可能な部位に少なくとも一部が装着される第３誘導部の一例である。アンテナＡｗ２０は、例えば、図１３に示したアンテナＡｗ１０に対応している。例えば、アンテナＡｗ２０は、人物の指などに装着されるリング状のアンテナＡｗ２１と、拡張部材ＭＡ１とを有している。
【０２０３】
アンテナＡｗ２１は、人物の身体の随意運動が可能な部位（例えば、指）に装着される。例えば、指にはめたアンテナＡｗ２１から指先までの距離は、距離Ｌ２より長い距離Ｌ２０程度である。アンテナＡｗ２１は、例えば、図１等で説明したように、導体１１１、無線経路等を介して近距離無線通信用の通信部Ｃ２に接続される。なお、アンテナＡｗ２１は、有線経路（導体１１１）のみを介して通信部Ｃ２に接続されてもよい。
【０２０４】
拡張部材ＭＡ１は、リング状のアンテナＡｗ２２と、アンテナＡｗ２２に導体１１１Ａを介して接続されるアンテナＡｗ２３と、凹部ＭＡ１ｃを含んでいる。例えば、アンテナＡｗ２２は、拡張部材ＭＡ１の表面（人物の指が接触可能な面）付近に配置される。そして、アンテナＡｗ２２の中空の部分には、凹部ＭＡ１ｃが配置される。また、アンテナＡｗ２２は、例えば、アンテナＡｃ２に対向して配置されるアンテナＡｗ２３に導体１１１Ａを介して接続される。なお、アンテナＡｗ２１、Ａｗ２２、Ａｗ２３は、互いに同じ感度でもよいし、異なる感度でもよい。
【０２０５】
アンテナＡｃ２は、例えば、通信部の一部分ＭＡ２に配置される。例えば、通信部の一部分ＭＡ２と拡張部材ＭＡ１とが重なっている場合、アンテナＡｗ２３とアンテナＡｃ２との距離は、所定値Ｌ１以下になる。例えば、アンテナＡｗ２３は、アンテナＡｗ２３とアンテナＡｃ２との距離が距離Ｌ１以下のとき、アンテナＡｃ２に無線で接続される。
【０２０６】
リング状のアンテナＡｗ２１をはめた指が拡張部材ＭＡ１の表面に接触しても、指先が凹部ＭＡ１ｃに挿入されていない状態では、アンテナＡｗ２１とアンテナＡｗ２２との距離は、距離Ｌ２より長い距離Ｌ２０程度である。例えば、アンテナＡｗ２１は、アンテナＡｗ２１とアンテナＡｗ２２との距離が距離Ｌ２以下のとき、アンテナＡｗ２２に無線で接続される。すなわち、アンテナＡｗ２１とアンテナＡｗ２２との距離が距離Ｌ２０程度のときには、アンテナＡｗ２１とアンテナＡｗ２２との間の通信経路は遮断される。
【０２０７】
したがって、リング状のアンテナＡｗ２１をはめた指が拡張部材ＭＡ１の表面に接触しても、指先が凹部ＭＡ１ｃに挿入されていない状態では、アンテナＡｗ２１とアンテナＡｗ２２との間の通信経路は遮断される。このように、アンテナＡｗ２１とアンテナＡｗ２２との距離が距離Ｌ２より離れている第１状態では、アンテナＡｗ２１とアンテナＡｗ２２との間の通信経路が遮断されため、アンテナＡｗ２０と通信相手のアンテナＡｃ２との通信経路は遮断される。
【０２０８】
一方、指先が凹部ＭＡ１ｃに挿入されている状態では、凹部ＭＡ１ｃの深さの分だけ、アンテナＡｗ２１は、アンテナＡｗ２２に近づく。例えば、凹部ＭＡ１ｃの深さが距離Ｌ２０程度の場合、指先を凹部ＭＡ１ｃに挿入することにより、アンテナＡｗ２１をアンテナＡｗ２２から距離Ｌ２以内の箇所に近づけることができる。これにより、アンテナＡｗ２１とアンテナＡｗ２２とが無線で接続される。
【０２０９】
すなわち、アンテナＡｗ２１をはめた指が凹部ＭＡ１ｃに挿入されている状態は、アンテナＡｗ２１とアンテナＡｗ２２との距離が距離Ｌ２以下の第２状態に対応している。このように、アンテナＡｗ２０は、アンテナＡｗ２０の形状の変化（アンテナＡｗ２１とアンテナＡｗ２２との距離の変化）に応じて、第１状態と第２状態とのいずれかに選択される。
【０２１０】
なお、第２状態では、アンテナＡｗ２１とアンテナＡｗ２２とが無線で接続されているため、アンテナＡｗ２３とアンテナＡｃ２との距離が距離Ｌ１以下のとき、アンテナＡｗ２０と通信相手のアンテナＡｃ２との通信経路が確立される。
【０２１１】
このように、アンテナＡｗ２０とアンテナＡｃ２との通信経路は、人物の意識的操作が継続している期間にわたって接続され、意識的操作の解除に伴って切断される。すなわち、図１４に示したウェアラブルデバイス１０Ａは、近距離無線通信の送信側となる通信部と受信側となる通信部との間の通信経路を利用者により意図されたタイミングで接続することができる。
【０２１２】
また、例えば、アンテナＡｗ２０では、アンテナＡｗ２２の位置を目視で確認しなくても、指先が凹部ＭＡ１ｃに挿入したか否かを判断することにより、アンテナＡｗ２１がアンテナＡｗ２２に対向しているか否かを判断できる。例えば、アンテナＡｃ２が電子タグのアンテナであり、指にはめたアンテナＡｗ２１が読み取り装置に導体１１１等を介して接続されている場合、タグ情報の読み取りとほぼ同時に、利用者は電子タグにアクセスしたことを指先で確認できる。
【０２１３】
なお、ウェアラブルデバイス１０Ａの構成は、この例に限定されない。例えば、凹部ＭＡ１ｃを含む拡張部材ＭＡ１は、通信相手の通信部に含まれてもよい。この場合、通信相手のアンテナＡｃ２がリング状に形成され、リング状のアンテナＡｃ２が、アンテナＡｗ２２の代わりに、図１４に示したアンテナＡｗ２２の位置に配置されてもよい。
【０２１４】
以上、図１４に示した実施形態のウェアラブルデバイス１０Ａは、アンテナとして機能する部分の形状の変化に応じて、第１状態と第２状態とのいずれかに選択されるアンテナＡｗ２０を有している。例えば、アンテナＡｗ２０は、第１状態のとき、通信相手のアンテナＡｃ２との通信経路が遮断される。そして、アンテナＡｗ２０が第２状態で、かつ、アンテナＡｗ２３とアンテナＡｃ２との距離が距離Ｌ１以下のとき、アンテナＡｗ２０とアンテナＡｃ２との通信経路が確立される。
【０２１５】
例えば、アンテナＡｗ２１をはめた指が凹部ＭＡ１ｃに挿入されることで、アンテナＡｗ２０は第２状態になる。逆に、アンテナＡｗ２１をはめた指が凹部ＭＡ１ｃから離れるることで、アンテナＡｗ２０は第１状態になる。これにより、この実施形態では、近距離無線通信の送信側となる通信部と受信側となる通信部との間の通信経路を利用者により意図されたタイミングで接続することができる。
【０２１６】
図１５は、ウェアラブルデバイスの別実施形態を示す。なお、図１５に示した構成要素のうち、図１から図１４に示した構成要素と同等のものについては、同一の符号を付して示し、その説明は省略する。図１５では、アンテナＡｗ３１をはめた指が伸びている第１状態と、アンテナＡｗ３１をはめた指が曲がっている第２状態とを示している。
【０２１７】
アンテナＡｃ３は、アンテナＡｗ３０の通信相手のアンテナの一例である。アンテナＡｃ３は、例えば、図１等に示した通信部Ｃ１のアンテナである。例えば、アンテナＡｃ３は、通信部の一部分ＭＡ３の表面（人物の指が接触可能な面）付近に配置される。アンテナＡｃ３の形状は、中空である。例えば、アンテナＡｃ３の中空の部分には、凹部ＭＡ３ｃが配置される。
【０２１８】
この実施形態のウェアラブルデバイス１０Ａは、アンテナＡｗ３０を有している。アンテナＡｗ３０は、人物の身体の随意運動が可能な部位に少なくとも一部が装着される第３誘導部の一例である。アンテナＡｗ３０は、例えば、図１３に示したアンテナＡｗ１０に対応している。例えば、アンテナＡｗ３０は、導電性を有する装着部ＲＮと、人物の指などに装着部ＲＮを介して装着されるリング状のアンテナＡｗ３１とを有している。例えば、アンテナＡｗ３１は、アンテナＡｃ３から距離Ｌ１以内の箇所にアンテナＡｗ３１の所定の割合（例えば、ほぼ全体）が位置するとき、アンテナＡｃ３に無線で接続される。以下、アンテナＡｃ３から距離Ｌ１以内の箇所にアンテナＡｗ３１のほぼ全体が位置するとき、アンテナＡｗ３１とアンテナＡｃ３とが無線で接続されるものとして説明する。
【０２１９】
装着部ＲＮは、第３誘導部の状態を第１状態および第２状態のいずれかに保持する装着部の一例である。例えば、装着部ＲＮは、図１５に示すように、人物の手の指に装着され、指先側の端部にアンテナＡｗ３１が配置されている。装着部ＲＮに取り付けられたアンテナＡｗ３１は、例えば、図１に示した近距離無線通信用の通信部Ｃ２に、導電性を有する装着部ＲＮ、導体１１１、無線経路等を介して接続される。なお、アンテナＡｗ３１は、有線経路（装着部ＲＮおよび導体１１１）のみを介して通信部Ｃ２に接続されてもよい。
【０２２０】
装着部ＲＮをはめた指が伸びている状態は、アンテナＡｗ３１とアンテナＡｃ３との通信経路が遮断される第１状態に対応している。例えば、装着部ＲＮは、装着部ＲＮをはめた指が伸びているとき、アンテナＡｗ３１を指の延在する方向に対して斜めになるように保持する。このため、装着部ＲＮをはめた指が伸びている第１状態では、指をアンテナＡｃ３に近づけても、アンテナＡｃ３に対してアンテナＡｗ３１が斜めになるため、アンテナＡｃ３から距離Ｌ１以内の箇所にアンテナＡｗ３１のほぼ全体を位置させることは困難である。
【０２２１】
例えば、図１５の第１状態に示したように、指をアンテナＡｃ３に近づけても、凹部ＭＡ３ｃの深い位置まで指先が入らないため、アンテナＡｃ３から距離Ｌ１以内の箇所にアンテナＡｗ３１のほぼ全体を位置させることは困難である。また、指を伸ばした状態で指先を凹部ＭＡ３ｃの深い位置まで挿入しても、アンテナＡｃ３に対してアンテナＡｗ３１が斜めになるため、アンテナＡｃ３から距離Ｌ１以内の箇所にアンテナＡｗ３１のほぼ全体を位置させることは困難である。したがって、装着部ＲＮをはめた指が伸びている第１状態では、アンテナＡｗ３１とアンテナＡｃ３との通信経路が遮断される。このため、アンテナＡｗ３０とアンテナＡｃ３との通信経路が遮断される。
【０２２２】
一方、装着部ＲＮをはめた指が曲がっている状態では、アンテナＡｃ３から距離Ｌ１以内の箇所にアンテナＡｗ３１のほぼ全体を位置させることが可能である。例えば、装着部ＲＮは、装着部ＲＮをはめた指を曲げた状態で指先を平面に付けたとき、アンテナＡｗ３１を平面に対してほぼ平行になるように保持する。このため、装着部ＲＮをはめた指が曲がっている状態では、図１５の第２状態に示すように、アンテナＡｗ３１をアンテナＡｃ３に対してほぼ平行にして、指先を凹部ＭＡ３ｃの深い位置まで挿入できる。
【０２２３】
したがって、装着部ＲＮをはめた指が曲がっている状態では、指先を凹部ＭＡ３ｃに挿入することにより、アンテナＡｃ３から距離Ｌ１以内の箇所にアンテナＡｗ３１のほぼ全体を位置させることができる。アンテナＡｃ３から距離Ｌ１以内の箇所にアンテナＡｗ３１のほぼ全体が位置している場合、アンテナＡｗ３１がアンテナＡｃ３に無線で接続され、アンテナＡｗ３０とアンテナＡｃ３との通信経路が確立される。すなわち、装着部ＲＮをはめた指が曲がっている状態は、第２状態に対応している。
【０２２４】
このように、装着部ＲＮは、指が伸びているときに、アンテナＡｗ３０の状態を第１状態に保持し、指が曲がっているときに、アンテナＡｗ３０の状態を第２状態に保持する。したがって、アンテナＡｗ３０とアンテナＡｃ３との通信経路は、人物の意識的操作が継続している期間にわたって接続され、意識的操作の解除に伴って切断される。すなわち、図１５に示したウェアラブルデバイス１０Ａは、近距離無線通信の送信側となる通信部と受信側となる通信部との間の通信経路を利用者により意図されたタイミングで接続することができる。
【０２２５】
また、例えば、アンテナＡｗ３０では、アンテナＡｃ３の位置を目視で確認しなくても、指先が凹部ＭＡ３ｃに挿入したか否かを判断することにより、アンテナＡｗ３１がアンテナＡｃ３に対向しているか否かを判断できる。例えば、アンテナＡｃ３が電子タグのアンテナであり、アンテナＡｗ３１が読み取り装置に導体１１１等を介して接続されている場合、タグ情報の読み取りとほぼ同時に、利用者は電子タグにアクセスしたことを指先で確認できる。
【０２２６】
以上、図１５に示した実施形態のウェアラブルデバイス１０Ａは、アンテナＡｗ３０が装着された部位（人物の手の指）の形状の変化（指の曲げ伸ばし）に応じて、第１状態と第２状態とのいずれかに選択されるアンテナＡｗ３０を有している。例えば、アンテナＡｗ３０は、第１状態のとき、通信相手のアンテナＡｃ３との通信経路が遮断される。そして、アンテナＡｗ３０が第２状態で、かつ、アンテナＡｗ３１とアンテナＡｃ３との距離が距離Ｌ１以下のとき、アンテナＡｗ３０とアンテナＡｃ３との通信経路が確立される。
【０２２７】
例えば、装着部ＲＮをはめた指を曲げることで、アンテナＡｗ３０は第２状態になる。逆に、装着部ＲＮをはめた指を伸ばすことで、アンテナＡｗ３０は第１状態になる。これにより、この実施形態では、近距離無線通信の送信側となる通信部と受信側となる通信部との間の通信経路を利用者により意図されたタイミングで接続することができる。
【０２２８】
また、指の柔軟性を利用して、タッチすることにより指が押しつぶされることでアンテナ（例えば、アンテナＡｗ３１、Ａｃ３）が対向し、通信接続されてもよい。
【０２２９】
図１６は、ウェアラブルデバイスの別実施形態を示す。なお、図１６に示した構成要素のうち、図１から図１５に示した構成要素と同等のものについては、同一の符号を付して示し、その説明は省略する。図１６では、アンテナＡｗ４０を装着した指が伸びている第１状態と、アンテナＡｗ４０を装着した指が曲がっている第２状態とを示している。
【０２３０】
アンテナＡｃ４は、アンテナＡｗ４０の通信相手のアンテナの一例である。アンテナＡｃ４は、例えば、図１等に示した通信部Ｃ１のアンテナである。例えば、アンテナＡｃ４は、横から見た場合、端部が中央部より下側に折り曲げられた形状をしている。アンテナＡｃ４を横から見たときの高さは、例えば、所定値Ｌ１より大きい。
【０２３１】
例えば、アンテナＡｗ４０は、アンテナＡｃ４から距離Ｌ１以内の箇所にアンテナＡｗ４０の所定の割合（例えば、ほぼ全体）が位置するとき、アンテナＡｃ３に無線で接続される。以下、アンテナＡｃ４から距離Ｌ１以内の箇所にアンテナＡｗ４０のほぼ全体が位置するとき、アンテナＡｗ４０とアンテナＡｃ４とが無線で接続されるものとして説明する。
【０２３２】
この実施形態のウェアラブルデバイス１０Ａは、アンテナＡｗ４０を有している。アンテナＡｗ４０は、通信相手のアンテナの形状に合う形状に変形可能な第７のアンテナの一例である。すなわち、アンテナＡｗ４０は、人物の身体の随意運動が可能な部位に少なくとも一部が装着される第３誘導部の一例である。アンテナＡｗ４０は、例えば、図１３に示したアンテナＡｗ１０に対応している。例えば、アンテナＡｗ４０は、図１等で説明したように、導体１１１、無線経路等を介して近距離無線通信用の通信部Ｃ２に接続される。なお、アンテナＡｗ４０は、有線経路（導体１１１）のみを介して通信部Ｃ２に接続されてもよい。
【０２３３】
アンテナＡｗ４０は、例えば、指に装着される。例えば、アンテナＡｗ４０は、指の輪郭等に対応する形状である。なお、アンテナＡｗ４０の形状は、アンテナＡｗ４０が指に装着された後でも、変形可能である。例えば、アンテナＡｗ４０を装着した指が伸びている状態では、アンテナＡｗ４０は、指の延在する方向に伸びた状態に維持される。
【０２３４】
アンテナＡｗ４０を装着した指が伸びている状態は、アンテナＡｗ４０とアンテナＡｃ４との通信経路が遮断される第１状態に対応している。例えば、アンテナＡｗ４０を装着した指が伸びている状態では、図１６の第１状態に示すように、アンテナＡｗ４０をアンテナＡｃ４に近づけても、アンテナＡｗ４０と折り曲げられた形状のアンテナＡｃ４の中央部付近との距離は、距離Ｌ１より離れている。すなわち、アンテナＡｗ４０を装着した指が伸びている状態では、アンテナＡｃ４から距離Ｌ１以内の箇所にアンテナＡｗ３１のほぼ全体を位置させることは困難である。したがって、アンテナＡｗ４０を装着した指が伸びている第１状態では、アンテナＡｗ４０とアンテナＡｃ４との通信経路が遮断される。
【０２３５】
一方、アンテナＡｗ４０を装着した指が曲がっている状態では、アンテナＡｃ４から距離Ｌ１以内の箇所にアンテナＡｗ４０のほぼ全体を位置させることが可能である。例えば、アンテナＡｗ４０を装着した指が曲がっている状態では、アンテナＡｗ４０は、指の曲がりに沿って折り曲がる。これにより、アンテナＡｗ４０は、図１６の第２状態に示すように、アンテナＡｃ４の形状に合う形状に変形される。したがって、アンテナＡｗ４０は、最適な状態でアンテナＡｃ４に対向する。
【０２３６】
例えば、アンテナＡｗ４０を装着した指が曲がっている状態では、アンテナＡｗ４０をアンテナＡｃ４に近づけることにより、アンテナＡｃ４から距離Ｌ１以内の箇所にアンテナＡｗ４０のほぼ全体を位置させることができる。アンテナＡｃ４から距離Ｌ１以内の箇所にアンテナＡｗ４０のほぼ全体が位置している場合、アンテナＡｗ４０がアンテナＡｃ４に無線で接続される。すなわち、アンテナＡｗ４０とアンテナＡｃ４との通信経路が確立される。したがって、アンテナＡｗ４０を装着した指が曲がっている状態は、第２状態に対応している。
【０２３７】
このように、アンテナＡｗ４０は、アンテナＡｗ４０を装着した部位（図１６では、指）を変形することにより、通信相手のアンテナＡｃ４の形状に合う形状に変形可能である。例えば、アンテナＡｗ４０が通信相手のアンテナＡｃ４の形状に合う形状に変形されることにより、第２状態が選択される。
【０２３８】
したがって、アンテナＡｗ４０とアンテナＡｃ４との通信経路は、人物の意識的操作が継続している期間にわたって接続され、意識的操作の解除に伴って切断される。すなわち、図１６に示したウェアラブルデバイス１０Ａは、近距離無線通信の送信側となる通信部と受信側となる通信部との間の通信経路を利用者により意図されたタイミングで接続することができる。
【０２３９】
また、例えば、アンテナＡｗ４０では、アンテナＡｃ４の位置を目視で確認しなくても、アンテナＡｗ４０を装着した部分の指の感触により、アンテナＡｗ４０がアンテナＡｃ４に対向しているか否かを判断できる。例えば、アンテナＡｃ４が電子タグのアンテナであり、アンテナＡｗ４０が読み取り装置に導体１１１等を介して接続されている場合、タグ情報の読み取りとほぼ同時に、利用者は電子タグにアクセスしたことを指の感触で確認できる。
【０２４０】
なお、ウェアラブルデバイス１０Ａの構成は、この例に限定されない。例えば、アンテナＡｗ４０は、手袋の内部に、指の輪郭に沿って縫い込まれてもよい。
【０２４１】
以上、図１６に示した実施形態のウェアラブルデバイス１０Ａは、アンテナＡｗ４０が装着された部位（人物の手の指）の形状の変化（指の曲げ伸ばし）に応じて、第１状態と第２状態とのいずれかに選択されるアンテナＡｗ４０を有している。例えば、アンテナＡｗ４０は、第１状態のとき、通信相手のアンテナＡｃ４との通信経路が遮断される。そして、アンテナＡｗ４０が第２状態で、かつ、アンテナＡｗ４０とアンテナＡｃ４との距離が距離Ｌ１以下のとき、アンテナＡｗ４０とアンテナＡｃ４との通信経路が確立される。
【０２４２】
例えば、アンテナＡｗ４０を装着した指を曲げることで、アンテナＡｗ４０は、通信相手のアンテナＡｃ４の形状に合う形状に変形され、第２状態になる。逆に、アンテナＡｗ４０を装着した指を伸ばすことで、アンテナＡｗ４０は第１状態になる。これにより、この実施形態では、近距離無線通信の送信側となる通信部と受信側となる通信部との間の通信経路を利用者により意図されたタイミングで接続することができる。
【０２４３】
図１７は、ウェアラブルデバイスの別実施形態を示す。なお、図１７に示した構成要素のうち、図１から図１６に示した構成要素と同等のものについては、同一の符号を付して示し、その説明は省略する。図１７の電子タグＴａｇ（Ｔａｇ１０、Ｔａｇ１１、Ｔａｇ１２、Ｔａｇ１３）内の破線の丸印は、電子タグＴａｇのアンテナを示している。電子タグＴａｇのアンテナは、アンテナＡｗ５０の通信相手のアンテナの一例である。電子タグＴａｇは、例えば、図１等に示した通信部Ｃ１である。なお、この実施形態では、電子タグＴａｇは、例えば、人物の身体のうち、アンテナＡｗ５２が装着される部位から離れた部位に装着される。
【０２４４】
この実施形態のウェアラブルデバイス１０Ａは、アンテナＡｗ５０を有している。アンテナＡｗ５０は、人物の身体の随意運動が可能な部位に少なくとも一部が装着される第３誘導部の一例である。アンテナＡｗ５０は、例えば、図１３に示したアンテナＡｗ１０に対応している。例えば、アンテナＡｗ５０は、人物の手首（図１７の例では、左手Ｈｌの手首）などに固定されるアンテナＡｗ５１と、拡張部材ＭＡ４と、拡張部材ＭＡ４に設置されたアンテナＡｗ５２、Ａｗ５３と、導体１１１Ａとを含んでいる。なお、アンテナＡｗ５１、Ａｗ５２、Ａｗ５３は、互いに同じ感度でもよいし、異なる感度でもよい。
【０２４５】
アンテナＡｗ５１は、人物の身体の随意運動が可能な部位に装着される第４のアンテナの一例である。アンテナＡｗ５２は、第４のアンテナとの距離が第２距離以下のときに、第４のアンテナと無線で接続される第５のアンテナの一例である。アンテナＡｗ５３は、所定の長さを有する導体を介して第５のアンテナに接続される第６のアンテナの一例である。
【０２４６】
また、拡張部材ＭＡ４は、第５のアンテナおよび第６のアンテナが設置される外部の環境の一例である。拡張部材ＭＡ４は、例えば、人物が接触する対象物や人物が近づく対象物である。例えば、拡張部材ＭＡ４は、車やソファーのアームレストである。以下、拡張部材ＭＡ４がアームレストである場合を例にして説明する。したがって、拡張部材ＭＡ４をアームレストＭＡ４とも称する。
【０２４７】
アンテナＡｗ５１は、例えば、図１等で説明したように、導体１１１、無線経路等を介して近距離無線通信用の通信部Ｃ２に接続される。なお、アンテナＡｗ５１は、有線経路（導体１１１）のみを介して通信部Ｃ２に接続されてもよい。
【０２４８】
アンテナＡｗ５２は、例えば、アームレストＭＡ４の上面付近に設置される。なお、アンテナＡｗ５２は、アームレストＭＡ４の内部に設置されてもよいし、アームレストＭＡ４の外面に設置されてもよい。アンテナＡｗ５２は、例えば、人物が左手ＨｌをアームレストＭＡ４に置いたときに、アンテナＡｗ５１からの距離が所定値Ｌ２以下となる位置に設置される。
【０２４９】
アンテナＡｗ５２は、アンテナＡｗ５１との距離が距離Ｌ２以下のときに、アンテナＡｗ５１と無線で接続される。したがって、例えば、人物が左手ＨｌをアームレストＭＡ４に置いたときに、アンテナＡｗ５１とアンテナＡｗ５２との距離が距離Ｌ２以下になり、アンテナＡｗ５１とアンテナＡｗ５２とが無線で接続される。
【０２５０】
換言すれば、人物が左手ＨｌをアームレストＭＡ４から離すことにより、アンテナＡｗ５１とアンテナＡｗ５２との距離が距離Ｌ２より離れ、アンテナＡｗ５１とアンテナＡｗ５２との間の通信経路が遮断される。なお、アンテナＡｗ５１とアンテナＡｗ５２との距離が距離Ｌ２より離れている状態は、第１状態の一例である。そして、アンテナＡｗ５１とアンテナＡｗ５２との距離が距離Ｌ２以下の状態は、第２状態の一例である。すなわち、アンテナＡｗ５０は、アンテナＡｗ５０の形状の変化（アンテナＡｗ５１とアンテナＡｗ５２との距離の変化）に応じて、第１状態と第２状態とのいずれかに選択される。
【０２５１】
アンテナＡｗ５３は、例えば、アームレストＭＡ４の前側の面付近に設置され、導体１１１Ａを介してアンテナＡｗ５２に接続されている。なお、アンテナＡｗ５３および導体１１１Ａは、アームレストＭＡ４の内部に設置されてもよし、アームレストＭＡ４の外面に設置されてもよい。アンテナＡｗ５３の位置は、例えば、人物が左手ＨｌをアームレストＭＡ４に置いた状態で左手Ｈｌの指先をアンテナＡｗ５３に近づけたときに、左手Ｈｌの指先からアンテナＡｗ５３までの距離が所定値Ｌ１以下となる位置に設定される。なお、左手Ｈｌの親指を除く指先には、電子タグＴａｇ１０、Ｔａｇ１１、Ｔａｇ１２、Ｔａｇ１３がそれぞれ装着されている。
【０２５２】
すなわち、例えば、アンテナＡｗ５３は、人物が左手ＨｌをアームレストＭＡ４に置いたときに、電子タグＴａｇのアンテナとの距離を所定値Ｌ１以下にすることが可能な位置に設置される。アンテナＡｗ５３は、電子タグＴａｇのアンテナとの距離が距離Ｌ１以下のときに、電子タグＴａｇのアンテナと無線で接続される。換言すれば、例えば、アンテナＡｗ５３と電子タグＴａｇのアンテナとの距離が所定値Ｌ１より離れているとき、アンテナＡｗ５３と電子タグＴａｇのアンテナとの間の通信経路が遮断される。
【０２５３】
例えば、アンテナＡｗ５０と電子タグＴａｇのアンテナとの通信経路は、アンテナＡｗ５１とアンテナＡｗ５２との間の無線経路と、導体１１１Ａと、アンテナＡｗ５３と電子タグＴａｇのアンテナとの間の無線経路とを含んでいる。したがって、アンテナＡｗ５１とアンテナＡｗ５２との距離が距離Ｌ２より離れている第１状態では、アンテナＡｗ５１とアンテナＡｗ５２との間の通信経路が遮断されるため、アンテナＡｗ５０と電子タグＴａｇのアンテナとの通信経路は、遮断される。
【０２５４】
なお、アンテナＡｗ５１とアンテナＡｗ５２との距離が距離Ｌ２以下の第２状態では、アンテナＡｗ５３と電子タグＴａｇのアンテナとの距離が距離Ｌ１以下のときに、アンテナＡｗ５３と電子タグＴａｇのアンテナとが無線で接続される。これにより、アンテナＡｗ５０と電子タグＴａｇのアンテナとの通信経路が確立される。
【０２５５】
例えば、アンテナＡｗ５０に導体１１１等を介して接続される通信部（例えば、図１の通信部Ｃ２）は、アンテナＡｗ５３に近づけた電子タグＴａｇと通信可能に接続される。これにより、例えば、アンテナＡｗ５３に近づけた電子タグＴａｇのタグ情報が読み取られる。
【０２５６】
そして、第２状態では、アンテナＡｗ５３から電子タグＴａｇのアンテナを距離Ｌ１より離すことにより、アンテナＡｗ５０と電子タグＴａｇのアンテナとの通信経路が遮断される。
【０２５７】
例えば、アンテナＡｗ５０に導体１１１等を介して接続される通信部がオーディオ機器に内蔵された読み取り装置であり、電子タグＴａｇにオーディオの操作が割り当てられている場合、電子タグＴａｇを用いてオーディオ機器を操作できる。例えば、電子タグＴａｇ１０、Ｔａｇ１１、Ｔａｇ１２、Ｔａｇ１３には、再生、スキップ、ストップ、戻りが割り当てられている。この場合、例えば、利用者が左手ＨｌをアームレストＭＡ４に置き、左手Ｈｌの人差し指（電子タグＴａｇ１０）をアンテナＡｗ５３に近づけたとき、電子タグＴａｇ１０のタグ情報（再生命令）が読み取れれる。これにより、アンテナＡｗ５０に導体１１１等を介して接続されたオーディオ機器は、音楽を再生する。
【０２５８】
ここで、例えば、アンテナＡｗ５１および電子タグＴａｇのアンテナのそれぞれの感度は、左手Ｈｌの指先に装着されたＴａｇを左手首に装着されたアンテナＡｗ５１に近づけても、両者の間に無線経路が接続されない強さに調整されることが望ましい。この場合、人物が左手ＨｌをアームレストＭＡ４から離した状態で、左手Ｈｌの指先に装着されたＴａｇを左手首に装着されたアンテナＡｗ５１に近づけても、両者の間に無線経路が接続される距離（例えば、距離Ｌ１、Ｌ２）まで近づけることは困難である。これにより、この実施形態では、アンテナＡｗ５０と電子タグＴａｇのアンテナとの通信経路が人物の意図しないタイミングで確立することを抑制できる。
【０２５９】
このように、アンテナＡｗ５０と電子タグＴａｇのアンテナとの通信経路は、人物の意識的操作が継続している期間にわたって接続され、意識的操作の解除に伴って切断される。すなわち、図１７に示したウェアラブルデバイス１０Ａは、近距離無線通信の送信側となる通信部と受信側となる通信部との間の通信経路を利用者により意図されたタイミングで接続することができる。
【０２６０】
なお、ウェアラブルデバイス１０Ａの構成は、この例に限定されない。例えば、拡張部材ＭＡ４は、図１８に示すように、凹部を含んでいてもよい。
【０２６１】
以上、図１７に示した実施形態のウェアラブルデバイス１０Ａは、アンテナとして機能する部分の形状の変化に応じて、第１状態と第２状態とのいずれかに選択されるアンテナＡｗ５０を有している。例えば、アンテナＡｗ５０は、第１状態のとき、電子タグＴａｇ（通信相手）のアンテナとの通信経路が遮断される。そして、アンテナＡｗ５０が第２状態で、かつ、アンテナＡｗ５３と電子タグＴａｇのアンテナとの距離が距離Ｌ１以下のとき、アンテナＡｗ５０と電子タグＴａｇのアンテナとの通信経路が確立される。
【０２６２】
例えば、左手ＨｌをアームレストＭＡ４に置くことで、アンテナＡｗ５０は第２状態になる。逆に、左手ＨｌをアームレストＭＡ４から離すことで、アンテナＡｗ５０は第１状態になる。これにより、この実施形態では、近距離無線通信の送信側となる通信部と受信側となる通信部との間の通信経路を利用者により意図されたタイミングで接続することができる。
【０２６３】
図１８は、ウェアラブルデバイスの別実施形態を示す。なお、図１８に示した構成要素のうち、図１から図１７に示した構成要素と同等のものについては、同一の符号を付して示し、その説明は省略する。図１８に示したウェアラブルデバイス１０Ａは、図１７に示した拡張部材ＭＡ４の代わりに、凹部ＭＡ５ｃを含む拡張部材ＭＡ５を有している。ウェアラブルデバイス１０Ａのその他の構成は、図１７に示したウェアラブルデバイス１０Ａと同様である。図１８の電子タグＴａｇ（Ｔａｇ１０、Ｔａｇ１１、Ｔａｇ１２、Ｔａｇ１３）内の破線の丸印の意味は、図１７と同様である。
【０２６４】
この実施形態のウェアラブルデバイス１０Ａは、アンテナＡｗ６０を有している。アンテナＡｗ６０は、人物の身体の随意運動が可能な部位に少なくとも一部が装着される第３誘導部の一例である。アンテナＡｗ６０は、凹部ＭＡ５ｃを含む拡張部材ＭＡ５を図１７に示した拡張部材ＭＡ４の代わりに有していることを除いて、図１７に示したアンテナＡｗ５０と同様である。
【０２６５】
例えば、アンテナＡｗ６０は、人物の手首（図１８の例では、左手Ｈｌの手首）などに固定されるアンテナＡｗ６１と、拡張部材ＭＡ５と、拡張部材ＭＡ５に設置されたアンテナＡｗ６２、Ａｗ６３と、導体１１１Ａとを含んでいる。アンテナＡｗ６１、Ａｗ６２、Ａｗ６３は、図１７に示したアンテナＡｗ５１、Ａｗ５２、Ａｗ５３と同様である。なお、アンテナＡｗ６３の形状は、中空である。また、アンテナＡｗ６１、Ａｗ６２、Ａｗ６３は、互いに同じ感度でもよいし、異なる感度でもよい。
【０２６６】
拡張部材ＭＡ５は、第５のアンテナおよび第６のアンテナが設置される外部の環境の一例である。拡張部材ＭＡ５は、図１７に示した拡張部材ＭＡ４に凹部ＭＡ５ｃが追加されていることを除いて、拡張部材ＭＡ４と同様である。例えば、拡張部材ＭＡ５は、車やソファーのアームレストである。以下、拡張部材ＭＡ５がアームレストである場合を例にして説明する。したがって、拡張部材ＭＡ５をアームレストＭＡ５とも称する。
【０２６７】
凹部ＭＡ５ｃは、例えば、アンテナＡｗ６３の中空の部分に配置される。凹部ＭＡ５ｃの深さは、例えば、電子タグＴａｇが装着される指の厚さ程度である。また、アンテナＡｗ６３と電子タグＴａｇのアンテナとの無線通信が可能になる距離Ｌ１は、例えば、指の厚さより小さい。
【０２６８】
この場合、例えば、電子タグＴａｇが装着された指がアームレストＭＡ５の前面に接触しても、指先が凹部ＭＡ５ｃに挿入されていない状態では、電子タグＴａｇのアンテナとアンテナＡｗ６３との距離は、距離Ｌ１より離れている。したがって、電子タグＴａｇが装着された指がアームレストＭＡ５の前面に接触しても、指先が凹部ＭＡ５ｃに挿入されていない状態では、電子タグＴａｇのアンテナとアンテナＡｗ６３との間の通信経路は遮断される。すなわち、アンテナＡｗ６０と電子タグＴａｇのアンテナとの通信経路は遮断される。
【０２６９】
一方、指先が凹部ＭＡ５ｃに挿入されている状態では、凹部ＭＡ５ｃの深さの分だけ、電子タグＴａｇのアンテナは、アンテナＡｗ６３に近づく。このため、電子タグＴａｇのアンテナをアンテナＡｗ６３から距離Ｌ１以内の箇所に近づけることができる。これにより、電子タグＴａｇのアンテナとアンテナＡｗ６３とが無線で接続される。この結果、アンテナＡｗ６０と電子タグＴａｇのアンテナとの通信経路が確立する。
【０２７０】
以上、図１８に示した実施形態のウェアラブルデバイス１０Ａにおいても、図１７に示した実施形態のウェアラブルデバイス１０Ａと同様の効果を得ることができる。例えば、この実施形態では、近距離無線通信の送信側となる通信部と受信側となる通信部との間の通信経路を利用者により意図されたタイミングで接続することができる。さらに、この実施形態では、アンテナＡｗ６３の位置を目視で確認しなくても、指先が凹部ＭＡ５ｃに挿入したか否かを判断することにより、電子タグＴａｇのアンテナがアンテナＡｗ６３に対向しているか否かを判断できる。
【０２７１】
図１９は、ウェアラブルデバイスの別実施形態を示す。なお、図１９は、ウェアラブルデバイス１０Ｂと、ウェアラブルデバイス１０Ｂの通信相手のアンテナとを含むシステムの一例を示している。アンテナＡＮＴ２０と、導体１１１Ｃを介してアンテナＡＮＴ２０に接続される複数の誘導アンテナＡｅ２０とを含むアンテナは、ウェアラブルデバイス１０Ｂの通信相手のアンテナの一例である。
【０２７２】
したがって、ウェアラブルデバイス１０Ｂと無線通信が可能な通信部には、アンテナＡＮＴ２０、誘導アンテナＡｅ２０および導体１１１Ｃが含まれる。アンテナＡＮＴ２０、誘導アンテナＡｅ２０および導体１１１Ｃは、例えば、床に設置される。また、アンテナＡＮＴ２０は、例えば、電子タグのアンテナや読み取り装置のアンテナに対向して配置される。なお、図１９では、図を見やすくするために、複数の誘導アンテナＡｅ２０（Ａｅ２０ａ、Ａｅ２０ｂ、Ａｅ２０ｃ、Ａｅ２０ｄ）を、破線や太線を用いて記載している。また、誘導アンテナＡｅ２０の数は、４つに限定されない。
【０２７３】
この実施形態のウェアラブルデバイス１０Ｂは、例えば、スリッパ、靴ＳＨ等に設置される。なお、ウェアラブルデバイス１０Ｂは、靴以外の履き物等に設置されてもよい。以下、ウェアラブルデバイス１０Ｂが靴ＳＨに設置されるものとして説明する。
【０２７４】
ウェアラブルデバイス１０Ｂは、アンテナＡＮＴ１０と、導体１１１Ｂを介してアンテナＡＮＴ１０に接続される複数の誘導アンテナＡｅ１０（Ａｅ１０ａ、Ａｅ１０ｂ）とを有している。なお、誘導アンテナＡｅ１０の数は、２つに限定されない。複数の誘導アンテナＡｅ１０は、アンテナとして機能し、所定の周波数で共振が最大になる複数の第１誘導アンテナの一例である。
【０２７５】
複数の誘導アンテナＡｅ１０は、所定の周波数（例えば、１３．５６ＭＨｚ）で共振が最大になるようにそれぞれ調整されている。そして、複数の誘導アンテナＡｅ１０は、一部が互いに重なるように配置され、所定の周波数（例えば、１３．５６ＭＨｚ）で共振が最大になるように一本のアンテナとしてまとめられる。複数の誘導アンテナＡｅ１０ａ、Ａｅ１０ｂを一本のアンテナとしてまとめた全体は、例えば、靴ＳＨ、靴ＳＨの中敷き等に、足の形状に沿って設置される。図１９の例では、２つの誘導アンテナＡｅ１０は、一本のアンテナとしてまとめたときに互いに重なる部分が全体の中央付近に位置するように、配置されている。
【０２７６】
アンテナＡＮＴ１０は、複数の第１誘導アンテナに導体を介して接続される第８のアンテナの一例である。アンテナＡＮＴ１０は、電子タグのアンテナや読み取り装置のアンテナに対向して配置される。例えば、アンテナＡＮＴ１０は、通信相手のアンテナＡＮＴ２０が読み取り装置のアンテナに対向して配置される場合、電子タグのアンテナに対向して配置される。あるいは、アンテナＡＮＴ１０は、通信相手のアンテナＡＮＴ２０が電子タグのアンテナに対向して配置される場合、読み取り装置のアンテナに対向して配置される。
【０２７７】
一方、ウェアラブルデバイス１０Ｂの通信相手である床側のアンテナでは、例えば、複数の誘導アンテナＡｅ２０は、アンテナとして機能し、所定の周波数（例えば、１３．５６ＭＨｚ）で共振が最大になるようにそれぞれ調整されている。そして、複数の誘導アンテナＡｅ２０は、一部が互いに重なるように配置され、所定の周波数（例えば、１３．５６ＭＨｚ）で共振が最大になるように一本のアンテナとしてまとめられる。図１９の例では、４つの誘導アンテナＡｅ２０は、一本のアンテナとしてまとめたときに互いに重なる部分が全体の中心付近に位置するように、配置されている。
【０２７８】
すなわち、床側のアンテナは、所定の周波数で共振が最大になる複数のアンテナを、一部が互いに重なるように配置して一本のアンテナとしてまとめ、アンテナ全体を所定の周波数で共振が最大になるように調整した通信相手のアンテナの一例である。
【０２７９】
誘導アンテナＡｅ２０のそれぞれのアンテナサイズ（例えば、長手方向の長さ）は、例えば、複数の誘導アンテナＡｅ１０を一本のアンテナとしてまとめた全体のアンテナサイズ（例えば、長手方向の長さ）より小さい。すなわち、床側のアンテナは、最小単位のアンテナサイズ（誘導アンテナＡｅ２０のアンテナサイズ）が靴ＳＨに設置されたアンテナ全体のアンテナサイズより小さくなるように、分割される。
【０２８０】
換言すれば、複数の誘導アンテナＡｅ１０を一本のアンテナとしてまとめた全体のアンテナサイズは、通信相手のアンテナの最小単位のアンテナサイズ（誘導アンテナＡｅ２０のアンテナサイズ）より大きい。また、複数の誘導アンテナＡｅ１０を一本のアンテナとしてまとめた全体のアンテナサイズは、例えば、通信相手の全体（複数の誘導アンテナＡｅ２０を一本のアンテナとしてまとめた全体）のアンテナサイズより小さい。
【０２８１】
これにより、ウェアラブルデバイス１０Ｂは、近距離無線通信の送信側となる通信部と受信側となる通信部との間の通信経路を利用者により意図されたタイミングで接続することができる。例えば、アンテナＡＮＴ１０が読み取り装置のアンテナに対向して配置される場合、誘導アンテナＡｅ２０が設置されている部分に利用者が靴ＳＨを近接させる（例えば、床を踏む）ことにより、床のタグ情報が読み取られる。
【０２８２】
ここで、例えば、誘導アンテナＡｅ１０、Ａｅ２０が省かれたシステムでは、利用者が靴ＳＨに設置されたアンテナＡＮＴ１０を床に設置されたアンテナＡＮＴ２０に対向させたつもりでも、アンテナＡＮＴ１０がアンテナＡＮＴ２０に対向していない場合がある。
【０２８３】
例えば、誘導アンテナＡｅ１０、Ａｅ２０が省かれたシステムでは、アンテナＡＮＴ１０がアンテナＡＮＴ２０とほぼ同じサイズで、靴ＳＨのサイズからアンテナＡＮＴ１０のサイズを除いた部分がアンテナＡＮＴ１０のサイズより大きい場合がある。この場合、アンテナＡＮＴ２０が設置されている部分の床を利用者が靴ＳＨで踏んでも、靴ＳＨのアンテナＡＮＴ１０を除いた部分とアンテナＡＮＴ２０とが対向し、アンテナＡＮＴ１０がアンテナＡＮＴ２０に近接しないときがある。
【０２８４】
さらに、例えば、利用者が靴ＳＨに設置されたアンテナＡＮＴ１０を床に設置されたアンテナＡＮＴ２０に近づけた場合、アンテナＡＮＴ１０、ＡＮＴ２０が靴に隠されるため、利用者は、アンテナＡＮＴ１０、ＡＮＴ２０の位置関係を目視で確認できない。
【０２８５】
このように、利用者がアンテナＡＮＴ１０をアンテナＡＮＴ２０に近づけたつもりでも、アンテナＡＮＴ１０は、アンテナＡＮＴ２０と無線通信可能な範囲に位置していない場合がある。この場合、近距離無線通信の送信側となる通信部と受信側となる通信部との間の通信経路は、利用者の意図するタイミングで接続されていない。
【０２８６】
これに対し、ウェアラブルデバイス１０Ｂでは、複数の誘導アンテナＡｅ１０を一本のアンテナとしてまとめた全体のアンテナサイズは、通信相手の全体（複数の誘導アンテナＡｅ２０を一本のアンテナとしてまとめた全体）のアンテナサイズより小さい。また、複数の誘導アンテナＡｅ１０を一本のアンテナとしてまとめた全体のアンテナサイズは、通信相手のアンテナの最小単位のアンテナサイズ（誘導アンテナＡｅ２０のアンテナサイズ）より大きい。
【０２８７】
このため、例えば、アンテナＡｅ２０が設置されている部分の床を利用者が靴ＳＨで踏んだとき、複数の誘導アンテナＡｅ１０の少なくとも１つは、複数の誘導アンテナＡｅ２０の少なくとも１つと無線通信可能な範囲に位置する。したがって、ウェアラブルデバイス１０Ｂは、近距離無線通信の送信側となる通信部と受信側となる通信部との間の通信経路を利用者により意図されたタイミングで接続することができる。なお、ウェアラブルデバイス１０Ｂの構成は、この例に限定されない。
【０２８８】
図２０は、靴ＳＨに設置される誘導アンテナＡｅ１０の調整方法の例を示す。まず、２つの誘導アンテナＡｅ１０（Ａｅ１０ａ、Ａｅ１０ｂ）は、所定の周波数（例えば、１３．５６ＭＨｚ）で共振が最大になるように個別に調整される（図２０の個別調整）。そして、所定の周波数で共振が最大になるように調整された２つの誘導アンテナＡｅ１０を一本のアンテナとしてまとめる。例えば、２つの誘導アンテナＡｅ１０は、一本のアンテナとしてまとめたときに互いに重なる部分が全体の中央付近に位置するように、配置される。
【０２８９】
また、２つの誘導アンテナＡｅ１０に接続された導体１１１Ｂの一端に、電子タグのアンテナまたは読み取り装置のアンテナに対向するアンテナＡＮＴ１０が設置される。アンテナＡＮＴ１０および２つの誘導アンテナＡｅ１０が設置された後に、２つの誘導アンテナＡｅ１０を一本のアンテナとしてまとめた全体のアンテナが所定の周波数（例えば、１３．５６ＭＨｚ）で共振が最大になるように調整される（図２０の全体調整）。
【０２９０】
図２１は、床に設置される誘導アンテナＡｅ２０の調整方法の例を示す。まず、４つの誘導アンテナＡｅ２０（Ａｅ２０ａ、Ａｅ２０ｂ、Ａｅ２０ｃ、Ａｅ２０ｄ）は、所定の周波数（例えば、１３．５６ＭＨｚ）で共振が最大になるように個別に調整される（図２１の個別調整）。そして、所定の周波数で共振が最大になるように調整された４つの誘導アンテナＡｅ２０を一本のアンテナとしてまとめる。例えば、４つの誘導アンテナＡｅ２０は、一本のアンテナとしてまとめたときに互いに重なる部分が全体の中心付近に位置するように、配置される。
【０２９１】
また、４つの誘導アンテナＡｅ２０に接続された導体１１１Ｃの一端に、電子タグのアンテナまたは読み取り装置のアンテナに対向するアンテナＡＮＴ２０が設置される。アンテナＡＮＴ２０および４つの誘導アンテナＡｅ２０が設置された後に、４つの誘導アンテナＡｅ２０を一本のアンテナとしてまとめた全体のアンテナが所定の周波数（例えば、１３．５６ＭＨｚ）で共振が最大になるように調整される（図２１の全体調整）。なお、図１９から図２１で説明した所定の周波数は、１３．５６ＭＨｚに限定されない。
【０２９２】
以上、図１９から図２１に示した実施形態のウェアラブルデバイス１０Ｂは、アンテナとして機能し、所定の周波数で共振が最大になる複数の誘導アンテナＡｅ１０と、複数の誘導アンテナＡｅ１０に導体を介して接続されるアンテナＡＮＴ１０とを有している。複数の誘導アンテナＡｅ１０は、一部が互いに重なるように配置され、所定の周波数で共振が最大になるように一本のアンテナとしてまとめられている。例えば、複数の誘導アンテナＡｅ１０を一本のアンテナとしてまとめた全体のアンテナサイズは、通信相手のアンテナの最小単位のアンテナサイズより大きく、通信相手の全体のアンテナサイズより小さい。
【０２９３】
これにより、この実施形態では、近距離無線通信の送信側となる通信部と受信側となる通信部との間の通信経路を利用者により意図されたタイミングで接続することができる。
【０２９４】
以上の詳細な説明により、実施形態の特徴点及び利点は明らかになるであろう。これは、特許請求の範囲が、その精神および権利範囲を逸脱しない範囲で、前述のような実施形態の特徴点および利点にまで及ぶことを意図するものである。また、当該技術分野において通常の知識を有する者であれば、あらゆる改良および変更を容易に想到できるはずである。したがって、発明性を有する実施形態の範囲を前述したものに限定する意図はなく、実施形態に開示された範囲に含まれる適当な改良物および均等物に拠ることも可能である。
【０２９５】
以上の説明に関して、更に、以下の各項を開示する。
(付記１)
人物の身体の随意運動が可能な部位に装着され、前記部位の形状に応じて、所定の電磁気的な特性である第１特性と、前記第１特性よりも電波を誘導する作用が強い第２特性とのいずれか一方を示し、前記第２特性による電波の誘導時に、前記部位を近づけた第１通信部と無線通信が可能な第１誘導部と、
無線通信を行う機能を有する第２通信部とともに前記人物の身体に装着可能であり、所定の長さを有する導体を介して前記第１誘導部と接続され、電波の誘導を行う第２誘導部と
を有することを特徴とするウェアラブルデバイス。
(付記２)
付記１に記載のウェアラブルデバイスにおいて、
前記第１通信部は、前記第１通信部を有する装置に含まれる部品に対応付けられたタグ情報を保持しており、
前記第２通信部は、前記第１誘導部が前記第２特性を示すときに、前記第１誘導部と前記第１通信部との間の無線経路と、前記導体中の信号経路と、前記第２誘導部と前記第２通信部との間の無線経路とを介して、前記タグ情報を読み取り、
前記ウェアラブルデバイスは、更に、
前記第２通信部から受けた前記タグ情報に基づいて、前記タグ情報で示される前記部品に対する作業を示す情報を前記人物に提示する提示部を有する
ことを特徴とするウェアラブルデバイス。
(付記３)
付記１に記載のウェアラブルデバイスにおいて、
前記第２通信部は、前記第２通信部に対応付けられたタグ情報を保持しており、
前記第１誘導部と前記第１通信部との間の無線経路と、前記導体中の信号経路と、前記第２誘導部と前記第２通信部との間の無線経路とを含む通信経路は、前記第１通信部による前記タグ情報の読み取りに用いられる
ことを特徴とするウェアラブルデバイス。
(付記４)
付記１乃至付記３のいずれか１に記載のウェアラブルデバイスにおいて、
前記第１誘導部は、前記人物の手に装着された際に、前記手の複数の指に沿って配置される複数の枝部を有するアンテナであり、前記複数の指の間隔に応じて、前記第１特性または前記第２特性を示す
ことを特徴とするウェアラブルデバイス。
(付記５)
付記１乃至付記３のいずれか１に記載のウェアラブルデバイスにおいて、
前記第１誘導部は、前記人物の手に、前記手の輪郭に沿って装着されるループ状のアンテナである
ことを特徴とするウェアラブルデバイス。
(付記６)
付記１乃至付記３のいずれか１に記載のウェアラブルデバイスにおいて、
前記第１誘導部は、
前記部位に装着されるアンテナである第１のアンテナと、
前記人物による把持が可能であり、導電性を有し、所定の長さを有する器具と、
前記において、前記人物が前記器具を把持した際に前記第１のアンテナとの距離が所定値以下となる箇所に設置された第２のアンテナと、
前記器具において、前記第２のアンテナが設置された箇所から離れて設置され、前記第２特性を用いて電波を誘導する第３のアンテナとを含む
ことを特徴とするウェアラブルデバイス。
(付記７)
付記６に記載のウェアラブルデバイスにおいて、
前記器具は、個別に読み取りが可能な第１のタグと第２のタグとを含み、
前記ウェアラブルデバイスは、
更に、
前記部位とは異なる前記人物の部位に装着され、前記器具を固定する固定部と、
前記固定部に隣接して設けられ、前記固定部に固定された前記器具の前記第１のタグ及び前記第２のタグのそれぞれを読み取る読み取り部と、
前記第１のタグ及び前記第２のタグが前記読み取り部によって読み取られた順序に基づいて、前記器具と前記固定部との位置関係を判別する判別部と、
を有することを特徴とするウェアラブルデバイス。
(付記８)
付記７に記載のウェアラブルデバイスにおいて、
前記器具は、更に、前記器具が前記人物によって把持された場合に前記第１のアンテナによる読み取りが可能な位置に設置された第３のタグを有し、
前記第１のアンテナの感度は、前記第３のアンテナの感度に比べて低く設定されており、
前記ウェアラブルデバイスは、更に、
前記第１のアンテナを用いて前記第３のタグを読み取ることで得た情報に基づいて、前記器具の装着状態を判定する判定部を有する
ことを特徴とするウェアラブルデバイス。
(付記９)
人物の身体の随意運動が可能な部位に装着可能であり、前記部位の形状に応じて、所定の電磁気的な特性である第１特性と、前記第１特性よりも電波を誘導する作用が強い第２特性とのいずれか一方を示す第１誘導部が第１通信部に近づけられ、前記第１誘導部が前記第２特性を用いて電波を誘導することで、前記第１通信部と前記第１誘導部との間で無線通信が可能となった場合に、
所定の長さを有する導体を介して前記第１誘導部と接続され、電波の誘導を行う第２誘導部とともに前記人物の身体に装着され、無線通信を行う機能を有する第２通信部により、前記第１誘導部と前記第１通信部との間の無線経路と、前記導体中の信号経路と、前記第２誘導部と前記第２通信部との間の無線経路とを介して、前記第１通信部を有する装置に含まれる部品に対応して前記第１通信部に保持されたタグ情報を読み取り、
前記第２通信部から受けた前記タグ情報に基づいて、前記タグ情報で示される前記部品に対する作業を示す情報を前記人物に提示する
ことを特徴とするインタフェース制御方法。
(付記１０)
人物の身体の随意運動が可能な部位に装着可能であり、前記部位の形状に応じて、所定の電磁気的な特性である第１特性と、前記第１特性よりも電波を誘導する作用が強い第２特性とのいずれか一方を示す第１誘導部が第１通信部に近づけられ、前記第１誘導部が前記第２特性を用いて電波を誘導することで、前記第１通信部と前記第１誘導部との間で無線通信が可能となった場合に、
所定の長さを有する導体を介して前記第１誘導部と接続され、電波の誘導を行う第２誘導部とともに前記人物の身体に装着され、無線通信を行う機能を有する第２通信部により、前記第１誘導部と前記第１通信部との間の無線経路と、前記導体中の信号経路と、前記第２誘導部と前記第２通信部との間の無線経路とを介して、前記第１通信部を有する装置に含まれる部品に対応して前記第１通信部に保持されたタグ情報を読み取り、
前記第２通信部から受けた前記タグ情報に基づいて、前記タグ情報で示される前記部品に対する作業を示す情報を前記人物に提示する、
処理をコンピュータに実行させるインタフェース制御プログラム。
（付記１１）
アンテナとして機能し、人物の身体の随意運動が可能な部位に少なくとも一部が装着され、アンテナとして機能する部分および前記部位の少なくとも一方の形状の変化に応じて、第１状態と第２状態とのいずれかに選択され、前記第１状態のとき、通信相手のアンテナとの通信経路が遮断され、前記第２状態で、かつ、前記通信相手のアンテナとの距離が第１距離以下のとき、前記通信相手のアンテナとの通信経路が確立される第３誘導部を備えたことを特徴とするウェアラブルデバイス。
（付記１２）
付記１１に記載のウェアラブルデバイスにおいて、
前記通信相手のアンテナの形状は、中空であり、
前記第３誘導部は、
前記部位に装着される第１のアンテナと、
前記人物による把持が可能であり、所定の長さを有する器具と、
前記器具において、前記人物が前記器具を把持した際に前記第１のアンテナとの距離が第２距離以下となる箇所に設置された第２のアンテナと、
前記器具において、前記第２のアンテナが設置された箇所から離れた位置で、かつ、端部から前記第１距離より離れた位置に設置され、前記第２のアンテナと導体を介して接続される第３のアンテナとを備え、
前記器具において、前記第３のアンテナが設置された側の前記端部である雄部は、前記通信相手のアンテナの前記中空の部分である雌部に挿入可能な形状であり、
前記第１状態は、前記第１のアンテナと前記第２のアンテナとの距離が第２距離より離れている状態であり、
前記第２状態は、前記第１のアンテナと前記第２のアンテナとの距離が前記第２距離以下の状態であり、
前記第２状態では、前記第３のアンテナと前記通信相手のアンテナとの距離が第１距離以下になるまで前記雄部を前記雌部に挿入したときに、前記第３のアンテナと前記通信相手のアンテナとが無線で接続され、前記第３のアンテナから前記通信相手のアンテナを前記第１距離より離すことにより、前記第３誘導部と前記通信相手のアンテナとの通信経路が遮断される
ことを特徴とするウェアラブルデバイス。
（付記１３）
付記１１に記載のウェアラブルデバイスにおいて、
前記通信相手のアンテナは、前記人物の身体に前記部位から離れて装着され、
前記第３誘導部は、
前記部位に装着される第４のアンテナと、
前記人物の外部の環境に設置され、前記第４のアンテナとの距離が第２距離以下のときに、前記第４のアンテナと無線で接続される第５のアンテナと、
前記人物の外部の環境に設置され、所定の長さを有する導体を介して前記第５のアンテナに接続される第６のアンテナとを備え、
前記第１状態は、前記第４のアンテナと前記第５のアンテナとの距離が第２距離より離れている状態であり、
前記第２状態は、前記第４のアンテナと前記第５のアンテナとの距離が前記第２距離以下の状態であり、
前記第２状態では、前記第６のアンテナと前記通信相手のアンテナとの距離が第１距離以下のときに、前記第６のアンテナと前記通信相手のアンテナとが無線で接続され、前記第６のアンテナから前記通信相手のアンテナを前記第１距離より離すことにより、前記第３誘導部と前記通信相手のアンテナとの通信経路が遮断される
ことを特徴とするウェアラブルデバイス。
（付記１４）
付記１３に記載のウェアラブルデバイスにおいて、
前記第６のアンテナの形状は、中空であり、
前記第６のアンテナと前記通信相手のアンテナとの距離は、前記通信相手のアンテナが装着された部位の一部が前記第６のアンテナの中空の部分に挿入されたとき、前記第１距離以下になる
ことを特徴とするウェアラブルデバイス。
（付記１５）
付記１１に記載のウェアラブルデバイスにおいて、
前記部位は前記人物の手の指であり、
前記指に装着され、前記指の曲げ伸ばしに応じて、前記第３誘導部の状態を前記第１状態および前記第２状態のいずれかに保持する装着部を備えたことを特徴とするウェアラブルデバイス。
（付記１６）
付記１１に記載のウェアラブルデバイスにおいて、
前記第３誘導部は、前記部位を変形することにより、前記通信相手のアンテナの形状に合う形状に変形可能な第７のアンテナを有し、
前記第２状態は、前記第７のアンテナが前記通信相手のアンテナの形状に合う形状に変形されることにより、選択される
ことを特徴とするウェアラブルデバイス。
（付記１７）
所定の周波数で共振が最大になる複数のアンテナを、一部が互いに重なるように配置して一本のアンテナとしてまとめ、アンテナ全体を前記所定の周波数で共振が最大になるように調整した通信相手のアンテナと無線通信が可能なウェアラブルデバイスであって、
アンテナとして機能し、前記所定の周波数で共振が最大になる複数の第１誘導アンテナと、
前記複数の第１誘導アンテナに導体を介して接続される第８のアンテナとを備え、
前記複数の第１誘導アンテナは、一部が互いに重なるように配置され、前記所定の周波数で共振が最大になるように一本のアンテナとしてまとめられ、
前記複数の第１誘導アンテナを一本のアンテナとしてまとめた全体のアンテナサイズは、前記通信相手のアンテナの最小単位のアンテナサイズより大きく、前記通信相手の全体のアンテナサイズより小さい
ことを特徴とするウェアラブルデバイス。
（付記１８）
人物の身体に装着可能なウェアラブルデバイスと、前記ウェアラブルデバイスと無線通信が可能な通信部とを備え、
前記ウェアラブルデバイスは、
アンテナとして機能し、所定の周波数で共振が最大になる複数の第１誘導アンテナと、
前記複数の第１誘導アンテナに導体を介して接続される第８のアンテナとを有し、
前記複数の第１誘導アンテナは、一部が互いに重なるように配置され、前記所定の周波数で共振が最大になるように一本のアンテナとしてまとめられ、
前記通信部は、
アンテナとして機能し、前記所定の周波数で共振が最大になる複数の第２誘導アンテナと、
前記複数の第２誘導アンテナに導体を介して接続される第９のアンテナとを有し、
前記複数の第２誘導アンテナは、一部が互いに重なるように配置され、前記所定の周波数で共振が最大になるように一本のアンテナとしてまとめられ、
前記第２誘導アンテナのそれぞれのアンテナサイズは、前記複数の第１誘導アンテナを一本のアンテナとしてまとめた全体のアンテナサイズより小さく、
前記複数の第２誘導アンテナを一本のアンテナとしてまとめた全体のアンテナサイズは、前記複数の第１誘導アンテナを一本のアンテナとしてまとめた全体のアンテナサイズより大きい
ことを特徴とするシステム。
【符号の説明】
【０２９６】
１０、１０Ａ、１０Ｂ…ウェアラブルデバイス；１１…拡張アンテナ；１４…無線経路；１５…制御部；１６…提示部；１７、Ｃ６…読み取り部；１８…判別部；１１１、１１１Ａ、１１１Ｂ、１１１Ｃ…導体；１１２、１１３、Ａｃ１−Ａｃ４、ＡＮＴ１０、ＡＮＴ２０、Ａｔ１、Ａｔ２、Ａｗ１０−Ａｗ１３、Ａｗ２０−Ａｗ２３、Ａｗ３０、Ａｗ３１、Ａｗ４０、Ａｗ５０−Ａｗ５３、Ａｗ６０−Ａｗ６３…アンテナ；１３１…ホルダ；１６１…表示部；１６２…ヘッドフォン；２１…プロセッサ；２２、ＭＥＭ…メモリ；２３…近距離無線通信インタフェース；２４…汎用インタフェース；２５…音声処理部；２６…ネットワークインタフェース；２７…表示制御部；２８…液晶表示部；ＵＥ…携帯端末；ＥＱ…装置；Ｃ１、Ｃ２…通信部；Ｃ５、Ｔａｇ０、Ｔａｇ１０−Ｔａｇ１３…電子タグ；Ｗｒ…作業着；ＧＬ…手袋；Ｐ１、Ｐ２…人物；Ｊｋ…ジャケット；Ｐｋ…ポケット；ＣＬ１ａ、ＣＬ１ｂ…枝部；Ｃｎ…コネクタ；Ｇｊ…器具；Ａｆ…第１のアンテナ；Ａｒ１…第２のアンテナ；Ａｒ２…第３のアンテナ；ＳＷ…スイッチ；Ｈｌｄ…固定部；Ｔｇ１…第１のタグ；Ｔｇ２…第２のタグ；Ｔｇ３…第３のタグ；ＣＢＬ…ケーブル；Ｔｋ…定期券；Ｇｔ…自動改札機；ＮＷ…ネットワーク；ＳＶ…サーバ装置；Ａｃ１ｆ…雌部；Ａｅ１０、Ａｅ２０…誘導アンテナ；Ｇｊｍ…雄部；ＭＡ１、ＭＡ３、ＭＡ４…拡張部材；ＭＡ２…通信部の一部分；ＭＡ１ｃ、ＭＡ５ｃ…凹部；ＲＮ…装着部；ＳＨ…靴
【図１】
2018023108.tif 000003
【図２】
2018023108.tif 000004
【図３】
2018023108.tif 000005
【図４】
2018023108.tif 000006
【図５】
2018023108.tif 000007
【図６】
2018023108.tif 000008
【図７】
2018023108.tif 000009
【図８】
2018023108.tif 000010
【図９】
2018023108.tif 000011
【図１０】
2018023108.tif 000012
【図１１】
2018023108.tif 000013
【図１２】
2018023108.tif 000014
【図１３】
2018023108.tif 000015
【図１４】
2018023108.tif 000016
【図１５】
2018023108.tif 000017
【図１６】
2018023108.tif 000018
【図１７】
2018023108.tif 000019
【図１８】
2018023108.tif 000020
【図１９】
2018023108.tif 000021
【図２０】
2018023108.tif 000022
【図２１】
2018023108.tif 000023